(57)【特許請求の範囲】
【請求項１】
鍵が差し込まれる鍵穴を有する錠と、
所定の錠配置面に取り付けられ、上記錠を、上記鍵穴に対する上記鍵の鍵差込方向を上記錠配置面と平行にする平行姿勢と、上記鍵差込方向を上記錠配置面と交差させる交差姿勢とに切換可能に保持する錠保持部と
を具える施錠装置。
【請求項２】
上記錠保持部に保持された上記錠を隠蔽し、また露出させる隠蔽露出部による上記交差姿勢の上記錠の隠蔽に応じて、当該錠を上記交差姿勢から上記平行姿勢に切り換える姿勢交差平行切換部
を具える請求項１に記載の施錠装置。
【請求項３】
上記隠蔽露出部による上記平行姿勢の上記錠の露出に応じて、当該錠を上記平行姿勢から上記交差姿勢に切り換える姿勢平行交差切換部
を具える請求項２に記載の施錠装置。
【請求項４】
上記錠保持部は、
上記錠が、上記鍵穴の穿設された一端部を一面から突出させて取り付けられる錠取付部と、
上記錠取付部を一方向及び他方向に回転可能に支持する支持部と
を有し、上記錠取付部を上記一方向に回動させて上記錠を上記平行姿勢から上記交差姿勢に切り換え、上記錠取付部を上記他方向に回動させて上記錠を上記交差姿勢から上記平行姿勢に切り換える
請求項１に記載の施錠装置。
【請求項５】
上記錠取付部は、
上記一面に指掛部が突設された
請求項４に記載の施錠装置。
【請求項６】
鍵が差し込まれる鍵穴を有する錠と、
本装置の所定の錠配置面に取り付けられ、上記錠を、上記鍵穴に対する上記鍵の鍵差込方向を上記錠配置面と平行にする平行姿勢と、上記鍵差込方向を上記錠配置面と交差させる交差姿勢とに切換可能に保持する錠保持部と
を具える現金自動取引装置。
【請求項７】
引出可能な紙幣収納ユニット
を具え、
上記錠保持部は、
上記錠配置面として上記紙幣収納ユニットの側面に取り付けられ、上記錠を上記平行姿勢と上記交差姿勢とに切換可能に保持する
請求項６に記載の現金自動取引装置。
【請求項８】
上記紙幣収納ユニットの上記側面に配置される所定の保護対象と、
上記紙幣収納ユニットの上記側面に上記保護対象を隠蔽及び露出可能に設けられ、上記保護対象を保護するための保護カバーと
を具え、
上記錠は、
上記鍵穴に差し込まれた上記鍵が、上記紙幣収納ユニットの上記側面に対する上記保護カバーのロック、及び当該ロックの解除のために操作される
請求項７に記載の現金自動取引装置。
【発明の詳細な説明】
【技術分野】
【０００１】
本発明は施錠装置及び現金自動取引装置に関し、例えば、現金としての紙幣の入金及び出金の取り引きを行う現金自動預払機（ATM：Automatic  Teller  Machine）に適用して好適なものである。
【背景技術】
【０００２】
従来の現金自動取引装置は、カセット収納部が装填及び引出可能に設けられている。そしてカセット収納部には、出金用の紙幣を金種別に収納して補充するための複数の紙幣収納カセットが、例えば、当該カセット収納部の引出方向に沿って１列に並べられて着脱可能に収納されている。
【０００３】
この場合、複数の紙幣収納カセットには、それぞれ紙幣を１枚ずつ内部に取り込み、また内部から紙幣を１枚ずつ繰り出すための、モータ及びローラ等からなる取込繰出機構が設けられている。
【０００４】
また複数の紙幣収納カセットには、それぞれ側面の所定位置に内部のモータと電気的に接続されたカセット側コネクタが設けられている。
【０００５】
一方、カセット収納部の側面には、現金自動取引装置内の制御部と電気的に接続された複数の装置側コネクタが設けられており、これら複数の装置側コネクタがそれぞれ対応するカセット側コネクタに電気的及び機械的に接続されている。
【０００６】
そして現金自動取引装置は、紙幣の入金及び出金時、制御部により装置側コネクタ及びカセット側コネクタを順次介して紙幣収納カセットの取込繰出機構を駆動制御する。
【０００７】
これにより現金自動取引装置は、紙幣の入金及び出金時、紙幣収納カセットの内部に入金用の紙幣を収納し、また紙幣収納カセットの内部から出金用の紙幣を取り出していた（例えば、特許文献１参照）。
【先行技術文献】
【特許文献】
【０００８】
【特許文献１】特開２００８−１９８１３１号公報（第３頁、第４頁、図１、図２）
【発明の概要】
【発明が解決しようとする課題】
【０００９】
ところで、係る構成を有する現金自動取引装置としては、例えば、図１７に示すように、カセット収納部１００の一側面１００Ａ及び他側面１００Ｂに一対のスライドレール１０１、１０２が設けられ、さらに一側面１００Ａにおいてスライドレール１０１の下側に、紙幣収納カセットの動作テスト用に操作するための操作部が設けられると共に、当該操作部を保護するための箱型の保護カバー１０３が開閉可能に設けられたものがある。
【００１０】
この場合、係る現金自動取引装置は、例えば、カセット収納部１００の一側面１００Ａにおいてスライドレール１０１の下側に、さらに錠１０４及びロックレバー１０５を有し、保護カバー１０３を閉じた（すなわち、操作部を覆った）状態にロックするためのロック部１０６も設けられている。
【００１１】
実際に係る現金自動取引装置では、カセット収納部１００が一対のスライドレール１０１、１０２を介して引き出された場合、保護カバー１０３が閉じられた状態で、ロック部１０６において錠１０４の鍵穴に差し込まれた鍵が例えば、反時計回方向に回転操作されると、これに応じて保護カバー１０３の端面１０３Ａの孔部にロックレバー１０５の先端部を差し込んで、当該保護カバー１０３を、その閉じた状態にロックする。
【００１２】
また係る現金自動取引装置では、保護カバー１０３をロックしている状態で、ロック部１０６において錠１０４の鍵穴に差し込まれた鍵が例えば、時計回方向に回転操作されると、保護カバー１０３の端面１０３Ａの孔部からロックレバー１０５の先端部を引き抜いて、そのロックを解除し、これにより保護カバー１０３を開かせて操作部を露出させ操作させている。
【００１３】
ところが、係る現金自動取引装置では、例えば、近年の小型化の傾向に伴い、装置内面とカセット収納部１００の一側面１００Ａとの隙間が比較的狭く選定されている。
【００１４】
よって係る現金自動取引装置では、装置内面とカセット収納部１００の一側面１００Ａとの隙間の狭さを考慮して、錠１０４の配置スペースを極力小さくするために、当該カセット収納部１００の一側面１００Ａに錠１０４が、鍵穴を当該一側面１０１Ａに近接させて上側に向けるように、鍵穴に対する鍵の鍵差込方向を一側面１０１Ａと平行にして配置されている。
【００１５】
このため係る現金自動取引装置では、カセット収納部１００を引き出した状態で錠１０４の鍵穴に鍵が差し込まれた場合、鍵を保持する手がカセット収納部１００の一側面１００Ａに接触して、当該鍵を回転操作させ難いという問題があった。
【００１６】
本発明は以上の点を考慮してなされたもので、錠の配置スペースを小さくしながらも、鍵の操作性を大幅に向上させ得る施錠装置及び現金自動取引装置を提案しようとするものである。
【課題を解決するための手段】
【００１７】
かかる課題を解決するため本発明においては、鍵が差し込まれる鍵穴を有する錠と、所定の錠配置面に取り付けられ、錠を、鍵穴に対する鍵の鍵差込方向を錠配置面と平行にする平行姿勢と、鍵差込方向を錠配置面と交差させる交差姿勢とに切換可能に保持する錠保持部とを設けるようにした。
【００１８】
従って本発明では、鍵の非回転操作時には錠を平行姿勢にして錠配置面からの突出量を小さくして当該錠の配置スペースを小さくすることができ、鍵の回転操作時には錠を交差姿勢にして鍵穴に鍵を抜き差しさせ易くすることができると共に、鍵穴に差し込まれた鍵を回転操作させ易くすることができる。
【発明の効果】
【００１９】
本発明によれば、鍵が差し込まれる鍵穴を有する錠と、所定の錠配置面に取り付けられ、錠を、鍵穴に対する鍵の鍵差込方向を錠配置面と平行にする平行姿勢と、鍵差込方向を錠配置面と交差させる交差姿勢とに切換可能に保持する錠保持部とを設けるようにしたことにより、鍵の非回転操作時には錠を平行姿勢にして錠配置面からの突出量を小さくして当該錠の配置スペースを小さくすることができ、鍵の回転操作時には錠を交差姿勢にして鍵穴に鍵を抜き差しさせ易くすることができると共に、鍵穴に差し込まれた鍵を回転操作させ易くすることができ、かくして錠の配置スペースを小さくしながらも、鍵の操作性を大幅に向上させ得る施錠装置及び現金自動取引装置を実現することができる。
【図面の簡単な説明】
【００２０】
【図１】本発明による現金自動預払機の外観構成の一実施の形態を示す略線的斜視図である。
【図２】本発明による現金自動預払機の内部構成を示す略線的側面図である。
【図３】第１の実施の形態による預払機筐体、紙幣入出金ユニット及び紙幣収納ユニットの構成（１）を示す略線的側面図である。
【図４】第１の実施の形態による預払機筐体、紙幣入出金ユニット及び紙幣収納ユニットの構成（２）を示す略線的正面図である。
【図５】預払機筐体からの紙幣収納ユニットの引き出しの説明に供する略線的側面図である。
【図６】預払機筐体からの紙幣入出金ユニットの引き出しの説明に供する略線的側面図である。
【図７】第１の実施の形態によるロック部の構成（１）を示す略線的正面図及び略線的側面図である。
【図８】第１の実施の形態によるロック部の構成（２）を示す略線的正面図及び略線的側面図である。
【図９】保護カバーのロックの解除の説明に供する略線的正面図及び略線的側面図である。
【図１０】第２の実施の形態による紙幣入出金ユニットの構成（１）を示す略線的側面図である。
【図１１】第２の実施の形態による紙幣入出金ユニットの構成（２）を示す略線的正面図である。
【図１２】第２の実施の形態によるロック部の構成（１）を示す略線的正面図及び略線的側面図である。
【図１３】第２の実施の形態によるロック部の構成（２）を示す略線的正面図及び略線的側面図である。
【図１４】ユニット個別収納部への紙幣収納ユニットの押し込みによる錠の姿勢の切り換え（１）の説明に供する略線的上面図及び略線的側面図である。
【図１５】ユニット個別収納部への紙幣収納ユニットの押し込みによる錠の姿勢の切り換え（２）の説明に供する略線的正面図である。
【図１６】他の実施の形態による錠保持部の構成を示す略線的正面図及び略線的側面図である。
【図１７】従来のロック部の構成を示す略線的斜視図である。
【発明を実施するための形態】
【００２１】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００２２】
（１）第１の実施の形態
（１−１）現金自動預払機の外観構成
図１において、１は全体として本発明を適用した現金自動預払機の外観構成を示す。かかる現金自動預払機１は、略箱型の筐体（以下、これを預払機筐体とも呼ぶ）２を有している。
【００２３】
預払機筐体２の前側上端部には、当該預払機筐体２の前面２Ａよりも後面２Ｂ側に凹むように略Ｌ字状に形成されたフロントパネル３が設けられている。
【００２４】
因みに、以下の説明では、預払機筐体２の前面２Ａを、預払機前面２Ａとも呼び、当該預払機筐体２の後面２Ｂを、預払機後面２Ｂとも呼ぶ。
【００２５】
そして、以下の説明では、預払機前面２Ａから預払機後面２Ｂへ向かう方向を、後方向とも呼び、当該預払機後面２Ｂから預払機前面２Ａへ向かう方向を、前方向とも呼ぶ。
【００２６】
また、以下の説明では、預払機筐体２の上面２Ｃを、預払機上面２Ｃとも呼び、預払機筐体２の下面から預払機上面２Ｃへ向かう方向を、上方向とも呼び、当該預払機上面２Ｃから預払機筐体２の下面へ向かう方向を、下方向とも呼ぶ。
【００２７】
さらに、以下の説明では、預払機筐体２をフロントパネル３と対峙して見た場合の左の側面２Ｄを、預払機左側面２Ｄとも呼び、右の側面２Ｅを、預払機右側面２Ｅとも呼ぶ。
【００２８】
そして、以下の説明では、預払機左側面２Ｄから預払機右側面２Ｅへ向かう方向を、右方向とも呼び、預払機右側面２Ｅから預払機左側面２Ｄへ向かう方向を、左方向とも呼ぶ。
【００２９】
この場合、フロントパネル３において上方向に向くほぼ水平な（すなわち、預払機上面２Ｃとほぼ平行な）上向パネル３Ａには、例えば、左寄りにタッチスクリーン４が設けられている。
【００３０】
因みに、タッチスクリーン４は、種々の操作画像を表示するための液晶ディスプレイ又は有機ＥＬ（Electro  Luminescence）ディスプレイのような表示部の表示面上に、操作入力用の透明なタッチパネルが貼着されて形成されている。
【００３１】
またフロントパネル３の上向パネル３Ａには、例えば、右寄りに、現金としての長方形の紙幣を投入し、また取り出すための箱型の紙幣投入取出部５が設けられている。
【００３２】
因みに、紙幣投入取出部５の開口には、取引内容に応じて当該開口を開放及び閉塞するためのシャッタが開閉自在に設けられている。
【００３３】
一方、フロントパネル３において前方向に向くほぼ垂直な（すなわち、預払機前面２Ａとほぼ平行な）前向パネル３Ｂには、例えば、左寄りに、通帳を挿入し、また当該通帳や取引明細書を排出するための通帳挿入排出口７が設けられている。
【００３４】
またフロントパネル３において前向パネル３Ｂには、例えば、右寄りに、キャッシュカードやクレジットカード等の種々のカードを挿入及び排出するためのカード挿入排出口８も設けられている。
【００３５】
因みに、預払機筐体２の内部には、通帳挿入排出口７の奥側に、通帳に記録されている口座番号のような顧客情報等を読み取り、また取引内容等を通帳や取引明細書に印刷するための読取印刷処理部（図示せず）が設けられている。
【００３６】
また預払機筐体２の内部には、カード挿入排出口８の奥側に、種々のカードに記録されている顧客の口座番号や金融機関コード等の顧客情報等を読み取るためのカード処理部（図示せず）が設けられている。
【００３７】
現金自動預払機１は、係る構成のもと、タッチスクリーン４に操作画像を表示すると共に、顧客によるタッチスクリーン４の表面へのタッチ操作に応じて操作画像を適宜切り換えて表示する。
【００３８】
これにより現金自動預払機１は、顧客に操作画面を介して、紙幣の取り引き（すなわち、紙幣の預け入れである入金や紙幣の払い出しである出金）の手順を案内する。
【００３９】
そして現金自動預払機１は、顧客に、その案内に従って通帳挿入排出口７やカード挿入排出口８に通帳やカードを挿入させ、また紙幣投入取出部５内に紙幣を投入させる。
【００４０】
また現金自動預払機１は、顧客に、その案内に従って通帳挿入排出口７やカード挿入排出口８から排出した通帳や取引明細書、カードを受け取らせ、また紙幣投入取出部５を介して紙幣を受け取らせる。
【００４１】
このようにして現金自動預払機１は、顧客が所望する紙幣の入金や出金の取り引きを行うことができる。
【００４２】
（１−２）現金自動預払機の内部構成
次いで、現金自動預払機１の内部構成について説明する。図２に示すように、現金自動預払機１において預払機筐体２の内部には、制御部１０と共に、紙幣入出金ユニット１１及び紙幣収納ユニット１２が設けられている。
【００４３】
そして制御部１０は、現金自動預払機１全体（すなわち、紙幣入出金ユニット１１及び紙幣収納ユニット１２を含む）を統括制御する。
【００４４】
これにより制御部１０は、例えば、顧客によりタッチスクリーン４の表面がタッチ操作され、所望の取り引きとして紙幣の入金が選択されると、タッチスクリーン４に表示する操作画像を介して、顧客に通帳又はカードの挿入を案内する。
【００４５】
その結果、制御部１０は、顧客によって通帳又はカードが通帳挿入排出口７又はカード挿入排出口８に挿入されると、読取印刷処理部又はカード処理部により通帳又はカードに記録されている顧客情報等を読み取るようにして例えば、顧客の口座番号を特定する。
【００４６】
そして制御部１０は、紙幣入出金ユニット１１において紙幣投入取出部５のシャッタを開いて、当該紙幣投入取出部５の開口を開放すると共に、タッチスクリーン４に表示する操作画像を介して、顧客に紙幣投入取出部５内への紙幣の投入を案内する。
【００４７】
その結果、制御部１０は、顧客によって紙幣投入取出部５内に入金用の１又は複数の紙幣が投入されると、当該紙幣投入取出部５から紙幣を１枚ずつ繰り出す。
【００４８】
これにより制御部１０は、紙幣投入取出部５から１枚ずつ繰り出した紙幣を、搬送路１３を介して鑑別部１４に搬送して、当該鑑別部１４において紙幣の金種や状態等を鑑別させる。
【００４９】
その結果、制御部１０は、鑑別部１４において正常であると鑑別された紙幣については、当該鑑別部１４から搬送路１３を介して一時保留部１５に搬送して一時的に保持することにより、当該紙幣の入金を保留する。
【００５０】
また制御部１０は、鑑別部１４において破損等により異常であると鑑別された紙幣については、当該鑑別部１４から搬送路１３を介して紙幣投入取出部５に搬送して顧客に返却する。
【００５１】
因みに、鑑別部１４により異常であると鑑別された紙幣については、現金自動預払機１では取り扱いを拒絶するものであり、以下、係る紙幣を、特にリジェクト紙幣とも呼ぶ。
【００５２】
このようにして制御部１０は、鑑別部１４において、紙幣投入取出部５内に投入された紙幣が全て鑑別されると、正常であると鑑別された紙幣の金種から、入金を保留していた紙幣の総額を計数する。
【００５３】
そして制御部１０は、タッチスクリーン４に表示した操作画像を介して顧客に、その計数した総額を提示する。
【００５４】
その結果、制御部１０は、操作画像を介して入金の金額を確認した顧客により、タッチスクリーン４の表面がタッチ操作され、入金が指示されると、一時保留部１５から一時的に保持していた紙幣を１枚ずつ繰り出し搬送路１３を介して鑑別部１４に戻す。
【００５５】
そして制御部１０は、鑑別部１４において再び紙幣の金種を鑑別させた後、当該鑑別部１４から金種が鑑別された紙幣を、搬送路１３を介して紙幣収納ユニット１２に搬送する。
【００５６】
これにより制御部１０は、紙幣収納ユニット１２において紙幣を、例えば、複数の紙幣収納カセット１６乃至１８のうち、鑑別された金種に応じた紙幣収納カセット１６乃至１８に収納する。
【００５７】
この際、制御部１０は、読取印刷処理部において通帳又は取引明細書に入金の金額を印刷して、当該金額を印刷した通帳又は取引明細書を通帳挿入排出口７から排出することにより、顧客に通帳を返却し、又は取引明細書を受け取らせる。
【００５８】
また制御部１０は、カード処理部に取り込んでいたカードをカード挿入排出口８から排出して顧客に返却する。このようにして制御部１０は、顧客の所望する取り引きとしての紙幣の入金を行うことができる。
【００５９】
因みに、制御部１０は、係る入金の際、顧客に、入金を保留している紙幣の総額を提示した結果、タッチスクリーン４の表面がタッチ操作され入金の取り消しが指示されると、一時保留部１５から一時的に保持していた紙幣を１枚ずつ繰り出す。
【００６０】
そして制御部１０は、その一時保留部１５から１枚ずつ繰り出した紙幣を、搬送路１３を介して紙幣投入取出部５に搬送して顧客に返却する。
【００６１】
一方、制御部１０は、例えば、顧客によりタッチスクリーン４の表面がタッチ操作され、所望の取り引きとして紙幣の出金が選択されると、タッチスクリーン４に表示する操作画像を介して、顧客に通帳及びカードの挿入を案内する。
【００６２】
その結果、制御部１０は、顧客によって少なくともカードがカード挿入排出口８に挿入されると、カード処理部によりカードに記録されている顧客情報等を読み取るようにして例えば、顧客の口座番号を特定すると共に、預金残高を確認する。
【００６３】
そのうえで制御部１０は、顧客によりタッチスクリーン４の表面がタッチ操作され出金の金額が指定されると、その指定された金額（以下、これを指定金額とも呼ぶ）を預金残高と比較して、当該指定金額分の紙幣の出金が可能であるか否かを判別する。
【００６４】
その結果、制御部１０は、預金残高が不足しており、指定金額分の紙幣の出金ができない場合には、タッチスクリーン４に表示した操作画像を介して顧客に、預金残高を提示すると共に、指定金額分の紙幣の出金ができないことを通知する。
【００６５】
これに対し制御部１０は、預金残高が指定金額以上であり、指定金額分の紙幣の出金が可能な場合には、紙幣収納ユニット１２の紙幣収納カセット１６乃至１８から、指定金額分の紙幣を１枚ずつ繰り出す。
【００６６】
これにより制御部１０は、紙幣収納カセット１６乃至１８から１枚ずつ繰り出した紙幣を、搬送路１３を介して鑑別部１４に搬送して、当該鑑別部１４において紙幣の金種や状態等を鑑別させる。
【００６７】
その結果、制御部１０は、鑑別部１４において正常であると鑑別された紙幣については、当該鑑別部１４から搬送路１３を介して紙幣投入取出部５に搬送する。
【００６８】
ただし、制御部１０は、鑑別部１４により鑑別された紙幣の中にリジェクト紙幣が存在すると、当該鑑別部１４からリジェクト紙幣を、搬送路１３を介して一時保留部１５に搬送して一時的に保持させる。
【００６９】
そして制御部１０は、紙幣投入取出部５に指定金額分の紙幣を搬送し終えると、当該紙幣投入取出部５のシャッタを開いて開口を開放することにより、顧客に指定金額分の紙幣引き渡す。
【００７０】
また制御部１０は、このとき通帳挿入排出口７に通帳が挿入されていると、読取印刷処理部において当該通帳に、出金した金額（すなわち、指定金額）、及び紙幣の出金後の預金残高を印刷する。
【００７１】
これにより制御部１０は、出金した金額、及び紙幣の出金後の預金残高を印刷した通帳を通帳挿入排出口７から排出して顧客に返却する。
【００７２】
因みに、制御部１０は、このとき通帳挿入排出口７に通帳が挿入されていないと、読取印刷処理部において取引明細書に出金した金額、及び紙幣の出金後の預金残高を印刷する。
【００７３】
これにより制御部１０は、出金した金額、及び紙幣の出金後の預金残高を印刷した取引明細書を通帳挿入排出口７から排出して顧客に受け取らせる。このようにして制御部１０は、顧客の所望する取り引きとしての紙幣の出金を行うことができる。
【００７４】
因みに、制御部１０は、出金において一時保留部１５にリジェクト紙幣を保持すると、出金の終了後（すなわち、紙幣を顧客に引き渡した後）、一時保留部１５から一時的に保持していたリジェクト紙幣を１枚ずつ繰り出し搬送路１３を介して鑑別部１４に戻す。
【００７５】
そして制御部１０は、鑑別部１４において再びリジェクト紙幣の金種や状態等を鑑別させた後、そのリジェクト紙幣を、搬送路１３を介して紙幣収納ユニット１２に搬送する。
【００７６】
これにより制御部１０は、紙幣収納ユニット１２においてリジェクト紙幣を、例えば、リジェクト紙幣専用の紙幣収納カセット１６乃至１８に収納する。
【００７７】
このようにして制御部１０は、紙幣の出金時、紙幣収納カセット１６乃至１８から繰り出した紙幣の中でリジェクト紙幣を発見すると、そのリジェクト紙幣を分別して専用の紙幣収納カセット１６乃至１８に保管し、その後、出金には用いないようにする。
【００７８】
（１−３）預払機筐体、紙幣入出金ユニット及び紙幣収納ユニットの構成
次いで、現金自動預払機１の預払機筐体２の構成と共に、当該預払機筐体２内に設けられた紙幣入出金ユニット１１及び紙幣収納ユニット１２の構成について説明する。
【００７９】
図３及び図４に示すように、預払機筐体２は、フロントパネル３の下側に、紙幣入出金ユニット１１及び紙幣収納ユニット１２を一括して収納するための略直方体状の空間でなるユニット一括収納部２Ｆが形成されている。
【００８０】
すなわち、預払機筐体２は、フロントパネル３の下側に、上向パネル３Ａの裏面３ＡＸ、筐体底板２ＧＸ、筐体前板２ＡＸ、筐体後板２ＢＸ、筐体左板２ＤＸ、筐体右板２ＥＸで囲まれた略直方体状の空間としてユニット一括収納部２Ｆが形成されている。
【００８１】
また預払機筐体２には、例えば、筐体前板２ＡＸ全体が扉（以下、扉としての筐体前板２ＡＸを、前扉２ＡＸとも呼ぶ）として開閉可能に取り付けられている。
【００８２】
よって預払機筐体２は、前扉２ＡＸが開かれると、ユニット一括収納部２Ｆを外部に開放し、当該前扉２ＡＸが閉じられると、ユニット一括収納部２Ｆを外部から閉塞する。
【００８３】
さらに預払機筐体２は、筐体左板２ＤＸの内面中央部に、ユニット一括収納部２Ｆの奥行よりも僅かに短い例えば、断面略コ字状の筐体左側レールガイド２０が、溝部を右側に向けて後方向と平行に配置されている。
【００８４】
さらに預払機筐体２は、筐体右板２ＥＸの内面中央部に、筐体左側レールガイド２０と等しい長さ及び形状を有する筐体右側レールガイド２１が、溝部を左側に向けて筐体左側レールガイド２０と対向させて後方向と平行に配置されている。
【００８５】
一方、紙幣入出金ユニット１１は、高さ、幅及び奥行が、預払機筐体２のユニット一括収納部２Ｆの高さ、幅及び奥行よりも僅かに短く選定された略箱型の筐体（以下、これを入出金ユニット筐体とも呼ぶ）２２を有している。
【００８６】
入出金ユニット筐体２２は、中央よりも上側の内部に、特には図示していないが、上述した紙幣投入取出部５、搬送路１３、鑑別部１４及び一時保留部１５が配置されている。
【００８７】
また入出金ユニット筐体２２は、中央よりも下側に、紙幣収納ユニット１２を個別に収納するための略直方体状の空間でなるユニット個別収納部２２Ａが形成されている。
【００８８】
すなわち、入出金ユニット筐体２２の下側には、ユニット底板２２ＢＸ、ユニット下側後板２２ＣＸ、ユニット下側左板２２ＤＸ、ユニット下側右板２２ＥＸで囲まれた略直方体状の空間としてユニット個別収納部２２Ａが形成されている。
【００８９】
そして入出金ユニット筐体２２は、ユニット個別収納部２２Ａの前端部（すなわち、入出金ユニット筐体２２の前下端部）に開口が形成されている。
【００９０】
さらに入出金ユニット筐体２２は、左側面（以下、これを入出金ユニット左側面とも呼ぶ）２２Ｄの中央部に、入出金ユニット左側可動レール２３が後方向と平行に配置されている。
【００９１】
さらに入出金ユニット筐体２２は、右側面（以下、これを入出金ユニット右側面とも呼ぶ）２２Ｅの中央部に、入出金ユニット右側可動レール２４が後方向と平行に配置されている。
【００９２】
そして預払機筐体２は、筐体左側レールガイド２０の溝部に入出金ユニット左側可動レール２３が挿入されると共に、筐体右側レールガイド２１に入出金ユニット右側可動レール２４が挿入されている。
【００９３】
これにより預払機筐体２は、ユニット一括収納部２Ｆに筐体左側レールガイド２０及び入出金ユニット左側可動レール２３と、筐体右側レールガイド２１及び入出金ユニット右側可動レール２４とを介して紙幣入出金ユニット１１（すなわち、入出金ユニット筐体２２）を前方向及び後方向にスライド可能に保持している。
【００９４】
また入出金ユニット筐体２２は、ユニット下側左板２２ＤＸの内面上寄りに、ユニット個別収納部２２Ａの奥行よりも僅かに短い例えば、断面略コ字状の入出金ユニット左側レールガイド２５が、溝部を右側に向けて後方向と平行に配置されている。
【００９５】
さらに入出金ユニット筐体２２は、ユニット下側右板２２ＥＸの内面上寄りに、入出金ユニット左側レールガイド２５と等しい長さ及び形状を有する入出金ユニット右側レールガイド２６が、溝部を左側に向け入出金ユニット左側レールガイド２５と対向させて後方向と平行に配置されている。
【００９６】
これに加えて紙幣収納ユニット１２は、高さ、幅及び奥行が、紙幣入出金ユニット１１のユニット個別収納部２２Ａの高さ、幅及び奥行よりも僅かに短く選定された略箱型の筐体（以下、これを収納ユニット筐体とも呼ぶ）２７を有している。
【００９７】
収納ユニット筐体２７内には、例えば、上述した複数の紙幣収納カセット１６乃至１８が後方向に沿って１列に並べるように配置されている。
【００９８】
ここで、複数の紙幣収納カセット１６乃至１８としては、例えば、収納ユニット筐体２７に予め内蔵（すなわち、内部に固定）され、上述の入金時や出金時に特定の金種の紙幣のみを内部に取り込み、また内部から１枚ずつ繰り出すものがある。
【００９９】
また複数の紙幣収納カセット１６乃至１８としては、例えば、収納ユニット筐体２７に着脱可能に装着され、当該収納ユニット筐体２７に内蔵された紙幣収納カセット１６乃至１８に紙幣を補充し、また当該紙幣収納カセット１６乃至１８から紙幣を回収するためのものもある。
【０１００】
さらに複数の紙幣収納カセット１６乃至１８としては、収納ユニット筐体２７に着脱可能に装着され、上述のように出金時に発見されたリジェクト紙幣を内部に収納するためのものもある。
【０１０１】
この場合、例えば、収納ユニット筐体２７に内蔵された紙幣収納カセット１６乃至１８内や、紙幣補充回収用の紙幣収納カセット１６乃至１８内には、紙幣を１枚ずつ内部に取り込み、また内部から紙幣を１枚ずつ繰り出すためのモータ及びローラ等からなる取込繰出機構が設けられている。
【０１０２】
また収納ユニット筐体２７内には、例えば、当該収納ユニット筐体２７内で補充回収用の紙幣やリジェクト紙幣を搬送するためのモータやローラ等からなる搬送路（以下、これをユニット内搬送路とも呼ぶ）も設けられている。
【０１０３】
そして収納ユニット筐体２７は、例えば、左側面（以下、これを収納ユニット左側面とも呼ぶ）２７Ａの下寄りに、ユニット内搬送路及び取込繰出機構に電力を供給するためのコネクタや、当該ユニット内搬送路及び取込繰出機構の動作テスト用に操作するための操作部が、後方向に沿って順に配置されている。
【０１０４】
また収納ユニット左側面２７Ａには、コネクタ及び操作部を保護するための後方向に長い箱型の保護カバー２８が、これらコネクタ及び操作部を隠蔽し、また露出させるように開閉可能に設けられている。
【０１０５】
さらに収納ユニット左側面２７Ａには、保護カバー２８の前に、当該保護カバー２８を、コネクタ及び操作部を隠蔽した状態（すなわち、覆う状態）にロックするためのロック部２９も設けられている。
【０１０６】
また収納ユニット筐体２７は、収納ユニット左側面２７Ａの上寄りに、収納ユニット左側可動レール３０が後方向と平行に配置されている。
【０１０７】
さらに収納ユニット筐体２７は、右側面（以下、これを収納ユニット右側面とも呼ぶ）２７Ｂの上寄りに、収納ユニット右側可動レール３１が後方向と平行に配置されている。
【０１０８】
そして紙幣入出金ユニット１１は、入出金ユニット左側レールガイド２５の溝部に収納ユニット左側可動レール３０が挿入されると共に、入出金ユニット右側レールガイド２６に収納ユニット右側可動レール３１が挿入されている。
【０１０９】
これにより紙幣入出金ユニット１１は、ユニット個別収納部２２Ａに入出金ユニット左側レールガイド２５及び収納ユニット左側可動レール３０と、入出金ユニット右側レールガイド２６及び収納ユニット右側可動レール３１とを介して紙幣収納ユニット１２（すなわち、収納ユニット筐体２７）を前方向及び後方向にスライド可能に保持している。
【０１１０】
ところで、入出金ユニット左側可動レール２３は、例えば、少なくとも２本以上のレールを伸縮可能に組み合わせて伸長時には筐体左側レールガイド２０よりも長くなるように形成されている。
【０１１１】
また入出金ユニット右側可動レール２４についても、入出金ユニット左側可動レール２３と同様に、少なくとも２本以上のレールを伸縮可能に組み合わせて、当該入出金ユニット左側可動レール２３と等しい長さを有するように形成されている。
【０１１２】
さらに収納ユニット左側可動レール３０は、例えば、少なくとも２本以上のレールを伸縮可能に組み合わせて伸長時には入出金ユニット左側レールガイド２５よりも長くなるように形成されている。
【０１１３】
さらにまた収納ユニット右側可動レール３１についても、収納ユニット左側可動レール３０と同様に、少なくとも２本以上のレールを伸縮可能に組み合わせて、当該収納ユニット左側可動レール３０と等しい長さを有するように形成されている。
【０１１４】
よって図５に示すように、現金自動預払機１は、当該現金自動預払機１に対する種々の作業が許可された作業者により前扉２ＡＸが開かれた場合、作業者に紙幣入出金ユニット１１のユニット個別収納部２２Ａから紙幣収納ユニット１２を個別に預払機筐体２の外部（すなわち、預払機筐体２の前側）に引き出させることができる。
【０１１５】
これにより現金自動預払機１は、作業者に預払機筐体２の外部において紙幣収納ユニット１２に対し特定の紙幣収納カセット１６乃至１８を装着させ、また取り外させることができる。
【０１１６】
また現金自動預払機１は、作業者に預払機筐体２の外部において紙幣収納ユニット１２に対し保護カバー２８を、ロックを解除させて開かせることで、コネクタ及び操作部を露出させる。
【０１１７】
そして現金自動預払機１は、作業者に、コネクタの接続状態を確認させ、また操作部を操作させてユニット内搬送路や取込繰出機構の動作テストを実行させることができる。
【０１１８】
このようにして現金自動預払機１は、作業者に紙幣収納ユニット１２のメンテナンスを行わせることができ、当該メンテナイスの終了後には預払機筐体２の前側から紙幣収納ユニット１２をユニット個別収納部２２Ａに押し込むようにして収納させたうえで前扉２ＡＸを閉じさせる。
【０１１９】
これに加えて図６に示すように、現金自動預払機１は、作業者により前扉２ＡＸが開かれた場合、当該作業者に預払機筐体２のユニット一括収納部２Ｆ内から紙幣入出金ユニット１１を紙幣収納ユニット１２と共に預払機筐体２の外部（すなわち、預払機筐体２の前側）に引き出させることもできる。
【０１２０】
これにより現金自動預払機１は、作業者に預払機筐体２の外部において紙幣入出金ユニット１１のメンテナンスを行わせることができる。
【０１２１】
そして現金自動預払機１は、紙幣入出金ユニット１１のメンテナンスの終了後には、作業者に預払機筐体２の前側から紙幣入出金ユニット１１をユニット一括収納部２Ｆ内に押し込むように収納させたうえで前扉２ＡＸを閉じさせる。
【０１２２】
因みに、現金自動預払機１は、図示はしないが、預払機筐体２のユニット一括収納部２Ｆ内から紙幣入出金ユニット１１が紙幣収納ユニット１２と共に預払機筐体２の外部に引き出された状態で、当該紙幣入出金ユニット１１のユニット個別収納部２２Ａから、さらに紙幣収納ユニット１２を引き出させることもできる。
【０１２３】
これにより現金自動預払機１は、紙幣入出金ユニット１１のメンテナンスと共に、紙幣収納ユニット１２のメンテナンスをまとめて行わせることもできる。
【０１２４】
（１−４）紙幣収納ユニットのロック部の構成
次いで、紙幣収納ユニット１２に設けられたロック部２９の構成について説明する。図７（Ａ）及び（Ｂ）並びに図８（Ａ）及び（Ｂ）に示すように、ロック部２９は、保護カバー２８をロックし、また当該ロックを解除するために操作される円筒状の錠４０と、その錠４０を保持する錠保持部４１とを有している。
【０１２５】
錠４０は、例えば、シリンダ錠であり、一端部が１周に亘り張り出すようにフランジ状に形成され、他端部よりも太い直径を有している。また錠４０は、一端面の中央部に鍵（図示せず）を差し込むための鍵穴４０Ａが穿設されている。
【０１２６】
さらに錠４０は、他端部の周側面にねじ山が形成（すなわち、錠４０の他端部が雄ねじとして成形）されている。
【０１２７】
この場合、錠４０は、鍵穴４０Ａに鍵を、当該錠４０の中心軸（以下、これを錠中心軸とも呼ぶ）と平行な方向に沿って差し込ませる。因みに、以下の説明では、錠４０において鍵穴４０Ａに鍵が差し込まれる方向を、鍵差込方向とも呼ぶ。
【０１２８】
そして錠４０は、鍵穴４０Ａに鍵が差し込まれた場合、当該鍵を鍵穴４０Ａと共に（すなわち、鍵穴４０Ａの穿設部分と共に）錠中心軸を中心にして例えば、９０度の回転角度範囲で時計回方向、及びこれとは逆の反時計回方向に回転させ得るようになされている。
【０１２９】
また錠４０の他端部内には、鍵穴４０Ａに差し込まれた鍵の回転に連動して、錠中心軸を中心にして９０度の回転角度範囲で時計回方向及び反時計回方向に回転する回転機構（図示せず）が収納されている。
【０１３０】
そして錠４０の回転機構は、棒状のアーム取付部４３の一端部を、当該アーム取付部４３の中心軸を錠中心軸と一致させ、かつアーム取付部４３の他端部を錠４０の他端面の中央から突出させて保持している。
【０１３１】
これにより錠４０は、鍵穴４０Ａに差し込まれた鍵が時計回方向及び反時計回方向に回転操作されると、これに連動してアーム取付部４３を、錠中心軸を中心にして時計回方向及び反時計回方向に回転させることができる。
【０１３２】
因みに、ここで説明したように、錠４０の鍵穴４０Ａは、当該鍵穴４０Ａに差し込まれた鍵と共に９０度の回転角度範囲で時計回方向及び反時計回方向に回転する。
【０１３３】
そして錠４０において、鍵穴４０Ａが９０度の回転角度範囲で反時計回方向に目一杯回転した状態は、例えば、鍵の非回転操作時の状態である。
【０１３４】
よって、以下の説明では、鍵穴４０Ａが９０度の回転角度範囲で反時計回方向に目一杯回転した状態を、非操作時回転状態とも呼ぶ。
【０１３５】
一方、錠保持部４１は、収納ユニット左側面２７Ａにおいて保護カバー２８の前方向の端面（以下、これをカバー前端面とも呼ぶ）２８Ａの上寄りの前に、当該前方向に沿って順に配置された一対のＬ字状の板でなる後側ブラケット４５及び前側ブラケット４６を有している。
【０１３６】
後側ブラケット４５は、一方の平板状の軸支持部４５Ａの先端を上方向に向け、かつ他方の平板状の回転規制部４５Ｂの先端を前方向に向けて、収納ユニット左側面２７ＡにＬ字状の側面を当接させて配置されている。
【０１３７】
すなわち、後側ブラケット４５は、収納ユニット左側面２７Ａに、軸支持部４５Ａを上方向と平行にし、回転規制部４５Ｂを前方向と平行にして配置されている。
【０１３８】
また後側ブラケット４５は、軸支持部４５Ａの一面の左端近傍に円形の貫通孔が穿設されている。
【０１３９】
前側ブラケット４６は、一方の平板状の軸支持部４６Ａの先端を上方向に向け、かつ他方の平板状の回転規制部４６Ｂの先端を後方向に向けて後側ブラケット４５の回転規制部４５Ｂの先端と所定の間隙を介して対向させて、収納ユニット左側面２７ＡにＬ字状の側面を当接させて配置されている。
【０１４０】
すなわち、前側ブラケット４６は、収納ユニット左側面２７Ａに、軸支持部４６Ａを上方向と平行にし、回転規制部４６Ｂを前方向と平行にして配置されている。
【０１４１】
また前側ブラケット４６は、軸支持部４６Ａの一面の左端近傍に、後側ブラケット４５の軸支持部４５Ａの貫通孔と対向させて円形の貫通孔が穿設されている。
【０１４２】
これに加えて錠保持部４１は、コ字状の錠取付板４７を有している。錠取付板４７は、錠４０の一端部の直径よりも僅かに広い幅を有する平板状の天板部４７Ａの一面の中央部に、当該錠４０の他端部の直径とほぼ等しい直径を有する円形の貫通孔が穿設されている。
【０１４３】
そして錠４０は、他端部が錠取付板４７の天板部４７Ａの貫通孔に一面側から挿入され、当該天板部４７Ａの他面側で他端部の突出した部分にナット４８が螺合されている。
【０１４４】
これにより錠４０は、錠取付板４７に、一端部とナット４８との間に天板部４７Ａを挟み込むようにして取り付けられている。
【０１４５】
また錠取付板４７は、天板部４７Ａの他面側に伸びる平板状の一対の脚部４７Ｂ及び４７Ｃの先端部が略Ｖ字状に形成されると共に、これら脚部４７Ｂ及び４７Ｃの先端面４７ＢＸ及び４７ＣＸが天板部４７Ａと平行に形成されている。
【０１４６】
さらに錠取付板４７は、一対の脚部４７Ｂ及び４７Ｃの外面において先端面４７ＢＸ及び４７ＣＸの近傍に円形の貫通孔が対向させて穿設されており、これら２つの貫通孔に１本の円柱状の錠回動軸４９が順次貫くように圧入されている。
【０１４７】
そして後側ブラケット４５において軸支持部４５Ａの貫通孔には、錠回動軸４９の一端部において錠取付板４７の一方の脚部４７Ｂの外面から後方向に突出している部分が挿入されている。
【０１４８】
また前側ブラケット４６において軸支持部４６Ａの貫通孔には、錠回動軸４９の他端部において錠取付板４７の他方の脚部４７Ｃの外面から前方向に突出している部分が挿入されている。
【０１４９】
これにより錠保持部４１は、後側ブラケット４５及び前側ブラケット４６に錠取付板４７を、前方向と平行な錠回動軸４９を中心にして所定の一方向、及びこれとは逆の他方向に回動可能に支持している。
【０１５０】
因みに、この場合、錠取付板４７を回転させる一方向は、当該錠取付板４７と共に錠４０を傾斜させるように回転させる方向であり、以下、これを錠傾斜方向とも呼ぶ。
【０１５１】
また、この場合、錠取付板４７を回転させる他方向は、当該錠取付板４７と共に錠４０を引き起こすように回転させる方向であり、以下、これを錠引起方向とも呼ぶ。
【０１５２】
ところで、錠保持部４１は、後側ブラケット４５及び前側ブラケット４６に対し錠取付板４７が錠引起方向に回転した場合、天板部４７Ａの右側面４７ＡＸを収納ユニット左側面２７Ａに突き当てて、当該錠取付板４７の錠引起方向への回転を停止させる。
【０１５３】
すなわち、錠保持部４１は、収納ユニット左側面２７Ａを、後側ブラケット４５及び前側ブラケット４６に対する錠取付板４７の錠引起方向への回転を規制する回転規制部として利用している。
【０１５４】
そして錠保持部４１は、錠取付板４７の天板部４７Ａの右側面４７ＡＸを収納ユニット左側面２７Ａに突き当てた場合に錠４０が、鍵差込方向を当該収納ユニット左側面２７Ａ（すなわち、上方向）と平行にする姿勢となるように、後側ブラケット４５、前側ブラケット４６及び錠取付板４７の大きさ及び形状や、錠回動軸４９の取付用の各貫通孔の穿設位置等が適宜選定されている。
【０１５５】
因みに、以下の説明では、錠４０の、鍵差込方向を収納ユニット左側面２７Ａと平行にする姿勢を、平行姿勢とも呼ぶ。
【０１５６】
このようにして錠保持部４１は、錠取付板４７が錠引起方向へ回転して、錠４０が平行姿勢になると、これ以上は錠取付板４７が錠引起方向へ回転しないように当該錠取付板４７の錠引起方向への回転を規制する。
【０１５７】
これにより錠保持部４１は、錠４０の姿勢を平行姿勢にして、当該錠４０の平行姿勢を維持することができる。
【０１５８】
また後側ブラケット４５は、左側のＬ字状の側面において回転規制部４５Ｂの部分４５ＢＸが所定深さに切り欠かれて、軸支持部４５Ａの部分よりも右側に凹んでいる。
【０１５９】
因みに、以下の説明では、後側ブラケット４５の左側のＬ字状の側面において回転規制部４５Ｂの部分４５ＢＸを、特に後側回転規制面４５ＢＸとも呼ぶ。
【０１６０】
さらに前側ブラケット４６も、左側のＬ字状の側面において回転規制部４６Ｂの部分４６ＢＸが、後側ブラケット４５の後側回転規制面４５ＢＸと同様に所定深さに切り欠かれて、軸支持部４６Ａの部分よりも右側に凹んでいる。
【０１６１】
因みに、以下の説明では、前側ブラケット４６の左側のＬ字状の側面において回転規制部４６Ｂの部分４６ＢＸを、特に前側回転規制面４６ＢＸとも呼ぶ。
【０１６２】
そして錠保持部４１は、後側ブラケット４５及び前側ブラケット４６に対し錠取付板４７が、錠４０を平行姿勢にした状態から錠傾斜方向に例えば、４５度の回転角度まで回転した時点で、錠取付板４７の一方の脚部４７Ｂの先端面４７ＢＸを後側回転規制面４５ＢＸの上側の縁に突き当てる。
【０１６３】
また錠保持部４１は、このとき錠取付板４７の他方の脚部４７Ｃの先端面４７ＣＸを、前側回転規制面４６ＢＸの上側の縁に付き当てる。
【０１６４】
これにより錠保持部４１は、後側ブラケット４５及び前側ブラケット４６に対する錠取付板４７の錠傾斜方向への回転を停止させる。
【０１６５】
このようにして錠保持部４１は、錠取付板４７が、錠４０を平行姿勢にした状態から錠傾斜方向へ回転して、当該錠４０が、鍵差込方向を収納ユニット左側面２７Ａ（すなわち、上方向）と４５度の角度で交差させる姿勢になると、これ以上、錠取付板４７が錠傾斜方向へは回転しないように錠取付板４７の錠傾斜方向への回転を規制する。
【０１６６】
因みに、以下の説明では、錠４０の、鍵差込方向を収納ユニット左側面２７Ａと４５度の角度で交差させる（すなわち、この場合は錠４０の鍵穴４０Ａを左斜め上に向ける）姿勢を、交差姿勢とも呼ぶ。
【０１６７】
これにより錠保持部４１は、錠４０の姿勢を平行姿勢から交差姿勢に切り換えて、当該錠４０の交差姿勢を維持することができる。
【０１６８】
このようにして錠保持部４１は、錠取付板４７の錠引起方向及び錠傾斜方向の回転に応じて、錠４０の姿勢を、平行姿勢と交差姿勢との何れにも自由に切り換えることができる。
【０１６９】
ところで、錠４０においてアーム取付部４３の他端部は、細長い平板状のアーム支持板５０の一端部に穿設された貫通孔に、当該アーム支持板４０の一面側から圧入されている。
【０１７０】
そしてアーム支持板５０は、他端部を錠回動軸４９よりも左側に位置させており、当該他端部において他面には、棒状のアーム５１が植設されている。
【０１７１】
このようにして錠４０は、アーム取付部４３の他端部にアーム支持板５０を介してアーム５１が、錠中心軸と平行にし、錠回動軸４９よりも左側に位置させて取り付けられている。
【０１７２】
ここで、錠保持部４１では、錠４０のアーム取付部４３にアーム５１を錠中心軸と平行にして取り付けていることにより、錠４０が平行姿勢にされた場合、当該アーム５１を収納ユニット左側面２７Ａと平行にする。
【０１７３】
そして錠保持部４１は、錠４０が平行姿勢にされた場合、アーム５１の先端面５１Ａが例えば、後側ブラケット４５及び前側ブラケット４６の回転規制部４５Ｂ及び４６Ｂの下面とほぼ面一となるように、当該アーム５１の長さが適宜選定されている。
【０１７４】
また錠保持部４１では、錠４０が平行姿勢にされ、かつ鍵穴４０Ａが非操作時回転状態にされた場合に、アーム５１を錠４０の真下よりも右前側で錠回動軸４９の他端部に近接させるように、錠取付板４７の長さ（すなわち、前方向の長さ）、アーム支持板５０の長さ、及びアーム取付部４３に対するアーム支持板５０の取付向きが適宜選定されている。
【０１７５】
因みに、錠４０が平行姿勢にされ、かつ鍵穴４０Ａが非操作時回転状態にされた場合のアーム５１の位置（すなわち、アーム５１を錠４０の真下よりも右前側で錠回動軸４９の他端部に近接させる位置）は、例えば、保護カバー２８のロックを解除する前の当該アーム５１を待機させておく位置である。
【０１７６】
よって、以下の説明では、錠４０が平行姿勢にされ、かつ鍵穴４０Ａが非操作時回転状態にされた場合のアーム５１の位置を、待機位置とも呼ぶ。
【０１７７】
そして錠保持部４１は、例えば、錠４０を平行姿勢にしたまま、非操作時回転状態の鍵穴４０Ａに鍵が差し込まれて時計回方向に回転操作された場合、これに応じてアーム５１を収納ユニット左側面２７Ａと平行にしたまま、待機位置から錠中心軸を中心にした円弧に沿って錠回動軸４９の一端部に近接させる位置まで移動させる。
【０１７８】
すなわち、錠保持部４１は、錠４０を平行姿勢にしたまま、非操作時回転状態の鍵穴４０Ａに鍵が差し込まれて時計回方向に回転操作された場合、紙幣収納ユニット１２の底面からアーム５１の先端面５１Ａまでの距離を何ら変えずに当該アーム５１を移動させる。
【０１７９】
ただし、錠保持部４１は、錠４０を平行姿勢にしてアーム５１を待機位置に位置させている状態から当該錠４０が交差姿勢にされると、アーム５１を待機位置よりも下側に変位させると共に、アーム５１の先端部を収納ユニット左側面２７Ａに近づけることができる。因みに、以下の説明では、アーム５１の先端部を、アーム先端部とも呼ぶ。
【０１８０】
すなわち、錠保持部４１は、この際、錠取付板４７と共に錠４０が錠傾斜方向に回転して当該錠４０が傾いたことに応じて、アーム先端部を、錠回動軸４９の下側に回り込ませることができる。
【０１８１】
そして錠保持部４１は、錠４０を交差姿勢にしたまま、非操作時回転状態の鍵穴４０Ａに鍵が差し込まれて時計回方向に回転操作されると、待機位置よりも下側に変位させていたアーム５１を後側に移動させる。
【０１８２】
ここで、錠保持部４１は、上述のように鍵穴４０Ａに差し込まれた鍵が回転操作された場合、アーム５１を、錠中心軸を中心にした円弧に沿って移動させる。
【０１８３】
よって錠保持部４１は、この際、待機位置よりも下側に変位させていたアーム５１を後側に移動させると、当該アーム５１をさらに下げながらアーム先端部を収納ユニット左側面２７Ａから離すようにして、錠４０の真下で最も下げてアーム先端部を収納ユニット左側面２７Ａから最も離す。
【０１８４】
また錠保持部４１は、アーム５１を錠４０の真下よりも後側にさらに移動させると、当該アーム５１を徐々に上げながらアーム先端部を収納ユニット左側面２７Ａに近づけるように移動させる。
【０１８５】
そして錠保持部４１は、鍵穴４０Ａに差し込まれた鍵が時計回方向に目一杯回転した場合、後側に移動させていたアーム５１を、紙幣収納ユニット１２の底面からアーム５１までの高さと、収納ユニット左側面２７Ａからアーム先端部までの距離との関係が、当該アーム５１が待機位置よりも下側に変位したときと同様になる位置に到達させる。
【０１８６】
因みに、錠４０の姿勢が平行姿勢から交差姿勢に切り換えられたときにアーム５１が待機位置よりも下側に変位した位置（すなわち、変位後の位置）は、例えば、保護カバー２８のロックの解除を開始するときの位置である。
【０１８７】
よって、以下の説明では、アーム５１が待機位置よりも下側に変位したときの位置を、解除開始位置とも呼ぶ。
【０１８８】
また、交差姿勢の錠４０において鍵穴４０Ａに差し込まれた鍵が時計回方向に目一杯回転したときにアーム５１が最終的に到達する位置は、例えば、保護カバー２８のロックの解除が完了したときの位置である。
【０１８９】
よって、以下の説明では、交差姿勢の錠４０において鍵穴４０Ａに差し込まれた鍵が時計回方向に目一杯回転したときにアーム５１が最終的に到達する位置を、解除完了位置とも呼ぶ。
【０１９０】
ところで、ロック部２９は、収納ユニット左側面２７Ａにおいて、例えば、錠保持部４１に保持された錠４０の真下の所定位置に植設された（すなわち、左方向に突出するように設けられた）レバー回動軸５３を有している。
【０１９１】
またロック部２９は、収納ユニット左側面２７Ａに対し保護カバー２８を、上述のコネクタ及び操作部を隠蔽した状態（すなわち、覆う状態）にロックするためのＬ字状のロックレバー５４も有している。
【０１９２】
言い換えると、ロック部２９は、収納ユニット左側面２７Ａに対し保護カバー２８を閉じた状態にロックする（すなわち、収納ユニット左側面２７Ａに対し保護カバー２８を開かないように止める）ためのロックレバー５４を有している。
【０１９３】
ロックレバー５４は、胴体部５４Ａの他端部（すなわち、胴体部５４Ａに対し腕部５４Ｂの他端部が接合される部分）に円形の貫通孔が穿設されている。
【０１９４】
そしてロックレバー５４は、胴体部５４Ａの一端部を上側に向け、腕部５４Ｂの一端部を保護カバー２８のカバー前端面２８Ａに向けるようにして貫通孔に他面側からレバー回動軸５３の先端部が挿入されている。
【０１９５】
因みに、以下の説明では、ロックレバー５４全体としての一端部となる胴体部５４Ａの一端部を、レバー末端部とも呼び、当該ロックレバー５４全体としての他端部となる腕部５４Ｂの一端部を、レバー先端部とも呼ぶ。
【０１９６】
これによりロック部２９は、ロックレバー５４の他面を収納ユニット左側面２７Ａと所定の間隙を介して平行にした状態で、当該ロックレバー５４を、レバー回動軸５３を中心にして所定の一方向、及びこれとは逆の他方向に回動可能に支持している。
【０１９７】
因みに、この場合、ロックレバー５４を回転させる一方向は、当該ロックレバー５４を、レバー先端部を持ち上げて保護カバー２８をロックするように回転させる方向であり、以下、これをロック方向とも呼ぶ。
【０１９８】
また、この場合、ロックレバー５４を回転させる他方向は、当該ロックレバー５４を、レバー先端部を引き下げて保護カバー２８のロックを解除するように回転させる方向であり、以下、これを解除方向とも呼ぶ。
【０１９９】
ここで、ロック部２９では、ロックレバー５４において胴体部５４Ａの幅が、例えば、錠４０の他端部の直径と同程度に選定されている。
【０２００】
またロック部２９では、ロックレバー５４のレバー末端部を錠保持部４１に近接させるものの、錠４０の平行姿勢及び交差姿勢の何れでロックレバー５４が回転しても、レバー先端部を後側ブラケット４５や前側ブラケット４６、錠取付板４７、錠回動軸４９には接触させないように胴体部５４Ａの長さが適宜選定されている。
【０２０１】
そしてロックレバー５４は、例えば、図示しないばねのような弾性体により、ロック方向に回転するように付勢されている。
【０２０２】
また保護カバー２８は、カバー前端面２８Ａの下寄りの所定位置に、ロック用としてロックレバー５４のレバー先端部を差し込むための、上方向に長い長方形状の貫通孔（以下、これをレバー差込孔とも呼ぶ）２８ＡＸが穿設されている。
【０２０３】
よってロック部２９は、例えば、錠４０を平行姿勢にした場合、弾性体の付勢によりロックレバー５４をロック方向に回転させて、レバー先端部を保護カバー２８のレバー差込孔２８ＡＸに差し込み、当該レバー差込孔２８ＡＸの上側の縁に突き当てる。
【０２０４】
これによりロック部２９は、錠４０が平行姿勢にされている間、ロックレバー５４により収納ユニット左側面２７Ａに対し保護カバー２８を閉じた状態にロックする。
【０２０５】
ところで、保護カバー２８は、レバー差込孔２８ＡＸにロックレバー５４のレバー先端部が差し込まれてロックされた場合、当該ロックレバー５４の胴体部５４Ａを上方向と平行にしてレバー末端部を錠４０の他端部と対向させるように、レバー差込孔２８ＡＸの穿設位置が適宜選定されている。
【０２０６】
よってロック部２９は、ロックレバー５４により保護カバー２８をロックした状態で錠４０が交差姿勢にされても、その際にアーム５１が解除開始位置に位置していると、ロックレバー５４のレバー末端部を当該アーム５１には接触させずに保護カバー２８のロックを維持することができる。
【０２０７】
ただし、ロックレバー５４は、アーム５１の解除開始位置からの移動開始直後から解除完了位置までの移動の間、アーム先端部がレバー末端部（すなわち、胴体部５４Ａにおける前方向の側面の上寄り）を押し続けられるように、収納ユニット左側面２７Ａから他面までの距離が適宜選定されてレバー回動軸５３に支持されていると共に、一面及び他面間の厚みが適宜選定されている。
【０２０８】
よって、図９（Ａ）及び（Ｂ）に示すように、ロック部２９は、錠４０が交差姿勢にされ非操作時回転状態の鍵穴４０Ａに鍵が差し込まれて時計回方向に回転操作されると、これに応じてアーム５１を解除開始位置から移動させて、アーム先端部をロックレバー５４のレバー末端部に押し当てさせることができる。
【０２０９】
そしてロック部２９は、アーム５１が解除完了位置まで移動している間は、ロックレバー５４のレバー末端部に対するアーム先端部の押し付けに応じて、当該ロックレバー５４を、レバー回動軸５３を中心にして解除方向に回転させる。
【０２１０】
これによりロック部２９は、ロックレバー５４のレバー先端部を保護カバー２８のレバー差込孔２８ＡＸから引き抜くようにして収納ユニット左側面２７Ａに対する当該保護カバー２８のロックを解除する。
【０２１１】
またロック部２９は、鍵穴４０Ａに差し込まれた鍵が時計回方向に目一杯回転したことで解除完了位置に到達したアーム５１が当該解除完了位置に留まっている間は、ロックレバー５４のレバー末端部にアーム先端部が押し付けられたままとなるため、保護カバー２８のロックを解除した状態を維持することができる。
【０２１２】
このようにしてロック部２９は、収納ユニット左側面２７Ａに対する保護カバー２８のロックを解除すると、上述のように収納ユニット左側面２７Ａに対して保護カバー２８を開かせて紙幣収納ユニット１２のメンテナンスを行わせることができる。
【０２１３】
またロック部２９は、収納ユニット左側面２７Ａに対して保護カバー２８が閉じられた後、交差姿勢にされていた錠４０の鍵穴４０Ａに差し込まれていた鍵が時計回方向に目一杯回転していた状態から反時計回方向に回転操作されると、これに応じてアーム５１を解除完了位置から解除開始位置へ戻すように前側に移動させる。
【０２１４】
これによりロック部２９は、この際、アーム５１の前側への移動に応じてロックレバー５４を弾性体による付勢に従いロック方向に回転させてレバー先端部を保護カバー２８のレバー差込孔２８ＡＸに差し込み、収納ユニット左側面２７Ａに対して保護カバー２８をロックすることができる。
【０２１５】
このようにしてロック部２９は、鍵の回転操作時、例えば、錠４０の一端部に指を掛けさせて当該錠４０を左側に倒すように引かせることで、錠４０を交差姿勢にさせることができる。
【０２１６】
そしてロック部２９は、錠４０が交差姿勢にされると、当該錠４０が平行姿勢のときよりも鍵穴４０Ａを収納ユニット左側面２７Ａから引き離すことができる。
【０２１７】
よってロック部２９は、錠４０が交差姿勢にされると、収納ユニット左側面２７Ａに鍵を保持する手を接触させることなく、鍵穴４０Ａに鍵を抜き差しさせる（すなわち、抜き差しさせ易くする）ことができる。
【０２１８】
そしてロック部２９は、錠４０を交差姿勢にさせた状態で鍵穴４０Ａに鍵が差し込まれると、その鍵を保持している手を収納ユニット左側面２７Ａに接触させることなく、当該鍵を回転操作させて、収納ユニット左側面２７Ａに対し保護カバー２８をロックさせ、またロックを解除させることができる。
【０２１９】
ところで、ロック部２９（図７乃至図９）は、収納ユニット左側面２７Ａに、錠保持部４１の一部とロックレバー５４とを覆うように取り付けられた略箱型のロック部カバー５５を有している。
【０２２０】
ロック部カバー５５は、後方向の端面（以下、これをカバー後端面とも呼ぶ）を保護カバー２８のカバー前端面２８Ａに当接させて配置されている。
【０２２１】
そしてロック部カバー５５は、カバー後端面にロックレバー５４のレバー先端部を通して保護カバー２８のレバー差込孔に抜差可能にする孔が穿設されている。
【０２２２】
これによりロック部カバー５５は、ロックレバー５４を覆うものの、当該ロックレバー５４の回動に応じて保護カバー２８のレバー差込孔２８ＡＸにレバー先端部を抜き差し（すなわち、保護カバー２８のロック及び解除を実行）させることができる。
【０２２３】
またロック部カバー５５は、上方向の端面（以下、これをカバー上端面とも呼ぶ）の中央部から一面の上端部に亘り、錠取付板４７の長さ（すなわち、前方向の長さ）とほぼ等しい幅の開口５５Ａが形成されており、当該開口５５Ａに錠取付板４７を位置させている。
【０２２４】
そしてロック部２９では、ロック部カバー５５の開口５５Ａの縁の内側、及び収納ユニット左側面２７Ａにおいて当該開口５５Ａに隣接する部分と、錠取付板４７の上側の縁とに亘り、例えば、１枚の目張用シート（図示せず）が当該開口５５Ａの縁及び収納ユニット左側面２７Ａと錠取付板４７との隙間を塞ぐように張りめぐらされている。
【０２２５】
ここで、目張用シートは、例えば、比較的柔軟性があり、かつ比較的強度の強いパラ系アラミド繊維や高強度ポリエチレン繊維で生成されたものである。
【０２２６】
そして目張用シートは、ロック部カバー５５の開口５５Ａの縁の内側、及び収納ユニット左側面２７Ａにおいて当該開口５５Ａに隣接する部分と、錠取付板４７の上側の縁とに亘り、ある程度、撓んだ状態で張りめぐらされている。
【０２２７】
因みに、錠取付板４７の上側の縁とは、天板部４７Ａの右側面４７ＡＸ及び左側面と、一対の脚部４７Ｂ及び４７Ｃの外面の上端部とである。
【０２２８】
これによりロック部２９は、ロック部カバー２９の開口５５Ａを介して錠４０の一端部（すなわち、鍵穴４０Ａ）を常に露出させた状態で、錠取付板４７を錠傾斜方向及び錠引起方向に回転させて錠４０を交差姿勢及び平行姿勢の何れにも切り換えさせることができる。
【０２２９】
またロック部２９は、ロック部カバー５５の開口５５Ａの縁及び収納ユニット左側面２７Ａと錠取付板４７との隙間を塞ぐ目張用シートによって例えば、第三者によりロック部カバー５５内に金属製の板や針金等が差し込まれて保護カバー２８のロックが不正に解除されることを防止することができる。
【０２３０】
（１−５）第１の実施の形態の動作及び効果
以上の構成において、現金自動預払機１は、紙幣入出金ユニット１１のユニット個別収納部２２Ａに紙幣収納ユニット１２を収納している状態では、ロック部２９において錠４０を平行姿勢にしている。
【０２３１】
そして現金自動預払機１は、紙幣入出金ユニット１１のユニット個別収納部２２Ａから紙幣収納ユニット１２が引き出された際には、ロック部２９において例えば、錠４０の一端部に指が掛けられて左側に引かれると、後側ブラケット４５及び前側ブラケット４６に対して錠取付板４７を錠傾斜方向に回転させて錠４０を交差姿勢にする。
【０２３２】
この状態で現金自動預払機１は、錠４０の非操作時回転状態の鍵穴４０Ａに鍵が差し込まれて時計回方向に回転操作されると、これ応じて収納ユニット左側面２７Ａに対する保護カバー２８のロックを解除する。
【０２３３】
これにより現金自動預払機１は、収納ユニット左側面２７Ａに対して保護カバー２８を開かせて紙幣収納ユニット１２のメンテナンスを行わせることができる。
【０２３４】
この後、現金自動預払機１は、収納ユニット左側面２７Ａに対して保護カバー２８が閉じられて、錠４０の鍵穴４０Ａに差し込まれていた鍵（すなわち、時計回方向に目一杯回転していた鍵）が反時計回方向に回転操作されると、これに応じて収納ユニット左側面２７Ａに対して保護カバー２８をロックする。
【０２３５】
そのうえで、現金自動預払機１は、ロック部２９において例えば、錠４０の鍵穴４０Ａから鍵が引き抜かれた後、当該錠４０の一端部に指が掛けられて右側に押されると、後側ブラケット４５及び前側ブラケット４６に対して錠取付板４７を錠引起方向に回転させて錠４０を平行姿勢にする。
【０２３６】
これにより現金自動預払機１は、ロック部２９において収納ユニット左側面２７Ａからの錠４０の突出量を極力小さくして、紙幣入出金ユニット１１のユニット個別収納部２２Ａに紙幣収納ユニット１２を収納可能な状態にし、当該ユニット個別収納部２２Ａに紙幣収納ユニット１２を押し込ませて収納させる。
【０２３７】
すなわち、現金自動預払機１に設けられる錠４０については、比較的直径の小さいものが選ばれていたとしても、他端部に鍵の回転操作に連動して回転するアーム５１等が取り付けられるため、全体の大きさを、これらアーム５１等も含めて考えると、直径方向よりも鍵差込方向に大きくなる。
【０２３８】
このため、係る錠４０は、仮に、収納ユニット左側面２７Ａに鍵差込方向を直交させるように配置されると、当該収納ユニット左側面２７Ａからの突出量が比較的大きくなる。
【０２３９】
しかしながら、現金自動預払機１では、基本的に収納ユニット左側面２７Ａに対し錠４０を、鍵差込方向を平行にした平行姿勢で配置しているため、当該収納ユニット左側面２７Ａからの錠４０の突出量が格段的に小さくなる。
【０２４０】
よって現金自動預払機１では、錠４０を平行姿勢にした状態では、錠４０の配置スペース（すなわち、錠４０の配置に必要な空間）を小さくする（すなわち、収納ユニット左側面２７Ａと直交する方向の大きさを小さくする）ことができる。
【０２４１】
従って現金自動預払機１では、紙幣収納ユニット１２の収納ユニット左側面２７Ａと、当該紙幣収納ユニット１２を収納する紙幣入出金ユニット１１のユニット下側左板２２ＤＸの内面との隙間が比較的狭い場合でも、収納ユニット左側面２７Ａ上に錠４０の配置スペースを十分に確保することができる。
【０２４２】
そして現金自動預払機１では、このように基本的には収納ユニット左側面２７Ａに錠４０を平行姿勢で配置するものの、鍵の回転操作時には、錠４０の姿勢を平行姿勢から収納ユニット左側面２７Ａに対して鍵差込方向を交差させる交差姿勢に切り換える。
【０２４３】
従って現金自動預払機１では、錠４０の平行姿勢では収納ユニット左側面２７Ａに近接していた鍵穴４０Ａを、当該錠４０を交差姿勢にすることで収納ユニット左側面２７Ａから離すことができる。
【０２４４】
よって現金自動預払機１では、錠４０の姿勢を交差姿勢から交差姿勢に切り換えた場合、鍵を保持している手を収納ユニット左側面２７Ａに何ら接触させることなく、当該鍵を鍵穴４０Ａに抜き差しさせることができると共に、鍵穴４０Ａに差し込まれた鍵を回転操作させることができる。
【０２４５】
以上の構成によれば、現金自動預払機１は、紙幣収納ユニット１２の収納ユニット左側面２７Ａに錠保持部４１を取り付け、当該錠保持部４１に錠４０を、鍵差込方向を収納ユニット左側面２７Ａと平行にする平行姿勢と、当該鍵差込方向を収納ユニット左側面２７Ａと交差させる交差姿勢とに切換可能に保持するようにした。
【０２４６】
これにより現金自動預払機１は、鍵の非回転操作時には錠４０を平行姿勢にして収納ユニット左側面２７Ａからの突出量を小さくし、その結果、錠４０の配置スペースを小さくすることができる。
【０２４７】
また現金自動預払機１は、鍵の回転操作時には錠４０を交差姿勢にして鍵穴４０Ａに鍵を抜き差しさせ易くすることができると共に、鍵穴４０Ａに差し込まれた鍵を回転操作させ易くすることができる。
【０２４８】
よって現金自動預払機１は、錠４０の配置スペースを小さくしながらも、鍵の操作性を大幅に向上させることができる。
【０２４９】
また現金自動預払機１は、預払機筐体２内で最も下側に位置する紙幣収納ユニット１２において収納ユニット左側面２７Ａに錠保持部４１を配置し、錠４０を交差姿勢にした場合、鍵穴４０Ａを斜め上に向けるようにした。
【０２５０】
従って現金自動預払機１は、錠４０を交差姿勢にした場合、鍵穴４０Ａに鍵をさらに抜き差しさせ易くすることができると共に、鍵穴４０Ａに差し込まれた鍵をさらに回転操作させ易くすることができる。
【０２５１】
さらに現金自動預払機１は、錠保持部４１において錠取付板４７の天板部４７Ａに錠４０を、当該天板部４７Ａの一面から錠４０の一端部を突出させて取り付けるようにした。
【０２５２】
従って現金自動預払機１では、錠保持部４１において錠４０の一端部に指を掛けさせて当該錠４０を倒すように引かせ、また起こすように押させることができる。
【０２５３】
これにより現金自動預払機１は、錠４０の姿勢切換の操作用に特別な部品や構造を採用することなく、簡易な構成で錠４０の姿勢を容易に切り換えさせることができる。
【０２５４】
さらに現金自動預払機１は、収納ユニット左側面２７Ａに錠保持部４１の一部とロックレバー５４とを覆い、かつ開口５４Ａを介して錠取付板４７を露出させるロック部カバー５５を設けると共に、当該ロック部カバー５５の開口５５Ａの縁及び収納ユニット左側面２７Ａと錠取付板４７との隙間を塞ぐように目張用シートを張りめぐらせるようにした。
【０２５５】
従って現金自動預払機１は、ロック部カバー５５及び目張用シートによって例えば、第三者によりロック部カバー５５内に金属製の板や針金等が差し込まれて保護カバー２８のロックが不正に解除されることを防止することができる。
【０２５６】
（２）第２の実施の形態
（２−１）現金自動預払機の構成
次いで、第２の実施の形態による現金自動預払機について説明する。係る現金自動預払機は、紙幣入出金ユニットの一部構成と、ロック部との構成を除いて上述した第１の実施の形態による現金自動預払機１（図１及び図２）と同様に構成されている。
【０２５７】
すなわち、第２の実施の形態による現金自動預払機は、第１の実施の形態において図１及び図２について上述した現金自動預払機１の外観構成及び内部構成と同様の外観構成及び内部構成を有している。
【０２５８】
よって以下には、第２の実施の形態による現金自動預払機の外観構成及び内部構成については説明を省略し、第１の実施の形態の場合とは異なる紙幣入出金ユニットの一部構成と、ロック部の構成とについて説明する。
【０２５９】
（２−２）紙幣入出金ユニット及びロック部の構成
図３及び図４との対応部分に同一符号を付した図１０及び図１１に示すように、紙幣入出金ユニット６０は、第１の実施の形態による紙幣入出金ユニット１１（図３及び図４）と基本的には同様に構成された入出金ユニット筐体６１を有している。
【０２６０】
ただし、入出金ユニット筐体６１は、ユニット個別収納部２２Ａへの紙幣収納ユニット１２の押し込みに応じてロック部６２の錠４０の姿勢切換をガイドするために、ユニット下側左板６１Ａの前端部の下寄りの部分に、端面を左斜め前に向けるようにへ字状に屈曲した姿勢切換ガイド６１ＡＸ（図１４（Ａ）参照）が形成されている。
【０２６１】
一方、図７（Ａ）及び（Ｂ）並びに図８（Ａ）及び（Ｂ）との対応部分に同一符号を付した図１２（Ａ）及び（Ｂ）並びに図１３（Ａ）及び（Ｂ）に示すように、ロック部６２において錠保持部６３は、第１の実施の形態による錠取付板４７（図７及び図８）と基本的には同様に構成されたコ字状の錠取付板６４を有している。
【０２６２】
すなわち、錠取付板６４は、第１の実施の形態による錠取付板４７と同様に、一面の中央部に錠４０が一端部を当該一面から突出させて取り付けられた天板部６４Ａと、当該天板部６４Ａの他面に設けられた一対の脚部６４Ｂ及び６４Ｃとを有している。
【０２６３】
ただし、錠取付板６４は、天板部６４Ａの一面において後方向の端部（以下、これを後端部とも呼ぶ）の左寄りに、ローラ回動軸６５が植設されている。
【０２６４】
そしてローラ軸６５の先端部は、ローラ６６を天板部６４Ａの一面から離隔させた状態で、当該ローラ６６の一面の中央に穿設された貫通孔に挿入されている。
【０２６５】
すなわち、錠保持部６３では、錠４０が平行姿勢及び交差姿勢と、これらの切換途中とのどのような姿勢であっても、ローラ６６がロック部カバー５５及び目張用シートに接触しないように、ローラ回動軸６５の先端部に対するローラ６６の取付位置が適宜選定されている。
【０２６６】
これにより錠取付板６４は、ローラ回動軸６５を介してローラ６６を、当該ローラ回動軸６５を中心にして時計回方向及び反時計回方向に回動可能に支持している。
【０２６７】
また錠保持部６３では、例えば、錠４０が平行姿勢にされた場合、ローラ６６の周側面において最も左側の部分（以下、これを周側面左側部分とも呼ぶ）を天板部６４Ａの左側面６４ＡＸよりも左側に突出させる。
【０２６８】
そして錠保持部６３では、錠４０が平行姿勢にされた場合、ローラ６６の周側面左側部分から収納ユニット左側面２７Ａまでの距離が、当該収納ユニット左側面２７Ａからユニット下側左板６１Ａの内面までの距離とほぼ等しくなるように、ローラ６６の直径、及び天板部６４Ａの一面に対するローラ回動軸６５の植設位置が適宜選定されている。
【０２６９】
このため錠保持部６３は、錠４０が交差姿勢にされた場合、ローラ６６の周側面左側部分を、ユニット下側左板６１Ａの前方向と平行な内面６１ＡＹから伸ばしたような当該前方向と平行な仮想線よりも左側に位置させることができる。
【０２７０】
従って図１４（Ａ）及び（Ｂ）に示すように、錠保持部６３は、鍵の回転操作後に錠４０が交差姿勢にされたまま、紙幣収納ユニット１２がユニット個別収納部２２Ａへの収納のために押されて後方向に移動した場合、ローラ６６を、姿勢切換ガイド６１ＡＸの左斜め前に向かって傾斜している内面の前寄りに突き当てる。
【０２７１】
因みに、以下の説明では、姿勢切換ガイド６１ＡＸにおいて左斜め前に向かって傾斜している内面を、傾斜内面とも呼ぶ。
【０２７２】
そして錠保持部６３は、紙幣収納ユニット１２が後方向に移動している間、姿勢切換ガイド６１ＡＸの傾斜内面からユニット下側左板６１Ａの内面６１ＡＹにかけてローラ６６を接触させながら反時計回方向に回転させる。
【０２７３】
ただし、錠保持部６３は、この際、姿勢切換ガイド６１ＡＸの傾斜内面、及びユニット下側左板６１Ａの内面６１ＡＹによってローラ６６が順次右側に押されることにより、これに伴い錠取付板６４を錠引起方向に回転させる。
【０２７４】
そして図１５に示すように、錠保持部６３は、紙幣収納ユニット１２の後方向への移動に伴いローラ６６の周側面左側部分がユニット下側左板６１Ａの内面６１ＡＹに接触したときには、錠取付板６４の右側面６４ＡＹを収納ユニット左側面２７Ａに当接させて錠４０を平行姿勢にする。
【０２７５】
このようにして錠保持部６３は、錠４０が交差姿勢にされたまま、紙幣収納ユニット１２がユニット個別収納部２２Ａへの収納のために押されて後方向に移動しても、ローラ６６に対する姿勢切換ガイド６１ＡＸの傾斜内面からユニット下側左板６１Ａの内面６１ＡＹにかけた押し付けにより、当該錠４０を自動的に平行姿勢に戻すことができる。
【０２７６】
また錠取付板６４は、上述のようにローラ６６を錠４０より後側で支持している。このため錠保持部６３は、交差姿勢の錠４０において鍵穴４０Ａに鍵が差し込まれたまま、紙幣収納ユニット１２がユニット個別収納部２２Ａへの収納のために押されて後方向に移動した場合には、その鍵をユニット下側左板６１Ａに何ら接触させることなく、錠４０を平行姿勢に戻すことができる。
【０２７７】
よって錠保持部６３は、錠４０の鍵穴４０Ａから鍵を抜き忘れたまま、紙幣収納ユニット１２がユニット個別収納部２２Ａへの収納のために押されて後方向に移動しても、当該鍵がユニット下側左板６１Ａに突き当てられて破損することを確実に防止することができる。
【０２７８】
（２−３）第２の実施の形態の動作及び効果
以上の構成において、現金自動預払機は、紙幣収納ユニット１２の収納ユニット左側面２７Ａに錠保持部６３を取り付け、当該錠保持部６３に錠４０を平行姿勢と交差姿勢とに切換可能に保持する。
【０２７９】
そして現金自動預払機は、紙幣入出金ユニット６０のユニット個別収納部２２Ａに紙幣収納ユニット１２を収納している状態では、錠４０を平行姿勢にしておき、当該ユニット個別収納部２２Ａから紙幣収納ユニット１２が引き出された際には、例えば、錠４０の一端部に指を掛けて左側に引かせて当該錠４０を交差姿勢にさせた上で、鍵穴４０Ａに鍵を差し込ませて回転操作させる。
【０２８０】
これに加えて現金自動預払機では、入出金ユニット筐体６１においてユニット下側左板６１Ａの前端部の下寄りの部分に、錠４０の姿勢切換をガイドするための姿勢切換ガイド６１ＡＸを形成している。
【０２８１】
また現金自動預払機では、錠保持部６３の錠取付板６４において天板部６４Ａの一面の後端部にローラ回動軸６５を介してローラ６６を回動可能に支持している。
【０２８２】
そして現金自動預払機は、錠４０が交差姿勢にされたまま、紙幣収納ユニット１２がユニット個別収納部２２Ａへの収納のために押されて後方向に移動した場合、姿勢切換ガイド６１ＡＸの傾斜内面及びユニット下側左板６１Ａの内面６１ＡＹを順にローラ６６に押し付けて当該ローラ６６を右側に押すことで、錠取付板６４を錠引起方向に回転させる。
【０２８３】
従って現金自動預払機は、錠４０が平行姿勢に戻し忘れて交差姿勢にされたまま、紙幣収納ユニット１２がユニット個別収納部２２Ａへの収納のために押されて後方向に移動しても、当該錠４０を自動的に平行姿勢に戻すことができる。
【０２８４】
以上の構成によれば、現金自動預払機は、紙幣収納ユニット１２の収納ユニット左側面２７Ａに錠保持部６３を取り付け、当該錠保持部６３に錠４０を平行姿勢と交差姿勢とに切換可能に保持すると共に、入出金ユニット筐体６１のユニット下側左板６１Ａに姿勢切換ガイド６１ＡＸを形成し、また錠保持部６３の錠取付板６４において天板部６４Ａの一面の後端部にローラ回動軸６５を介してローラ６６を回動可能に支持して、錠４０が交差姿勢にされたまま、紙幣収納ユニット１２が押されて後方向に移動したときには、姿勢切換ガイド６１ＡＸの傾斜内面及びユニット下側左板６１Ａの内面６１ＡＹを順にローラ６６に押し付けるようにして、当該ローラ６６を右側に押して錠取付板６４を錠引起方向に回転させるようにした。
【０２８５】
これにより現金自動預払機は、上述した第１の実施の形態によって得られる効果と同様の効果を得ることができると共に、これに加えて、錠４０が交差姿勢にされたまま、紙幣収納ユニット１２がユニット個別収納部２２Ａへの収納のために押されて後方向に移動しても、当該錠４０を自動的に平行姿勢に戻すことができる。
【０２８６】
従って現金自動預払機は、ユニット個別収納部２２Ａから引き出されていた紙幣収納ユニット１２が、錠４０が交差姿勢にされたまま押し戻されても、錠取付板６４や錠４０がユニット下側左板６１Ａに突き当てられて破損することを確実に防止することができる。
【０２８７】
また現金自動預払機は、ユニット個別収納部２２Ａから引き出された紙幣収納ユニット１２が、錠４０が交差姿勢にされ、かつ鍵穴４０Ａに鍵が差し込まれたまま押し戻された場合には、鍵がユニット下側左板６１Ａに突き当てられて破損することも確実に防止することができる。
【０２８８】
（３）他の実施の形態
（３−１）他の実施の形態１
なお上述した第１及び第２の実施の形態においては、例えば、錠４０の一端部に指を掛けさせて左側に引かせ、また右側に押させるようにして、当該錠４０の姿勢を切り換えさせるようにした場合について述べた。
【０２８９】
しかしながら本発明は、これに限らず、図７との対応部分に同一符号を付した図１６に示すように、錠保持部７０の錠取付板７１において天板部７１Ａの一面の例えば、前方向の端部の左寄りに突起状の指掛部７１ＡＸを設けるようにしても良い。
【０２９０】
本発明は、係る構成によれば、鍵穴４０Ａに直接、手を触れさせることなく、指掛部７１ＡＸに指を掛けさせて錠取付板７１を左側に引かせ、また右側に押させるようにして錠４０の姿勢を切り換えさせることができる。
【０２９１】
よって本発明は、係る構成により、例えば、錠４０の内部に鍵穴４０Ａを介して異物が入り込み、鍵穴４０Ａに鍵を差し込み難くなること、また鍵穴４０Ａに差し込んだ鍵を回転操作し難くなることを防止することができる。
【０２９２】
また本発明は、錠取付板７１に指掛部７１ＡＸを設ける構成に加え、又は変えて、錠取付板４７、６４、７１に錠傾斜方向に回転するように付勢する、ばねのような弾性体を取り付けるようにしても良い。
【０２９３】
さらに本発明は、錠取付板７１に指掛部７１ＡＸを設ける構成に加え、又は変えて、例えば、天板部４７Ａ、６４Ａ、７１Ａの左側面寄りに重りを取り付けて、錠取付板４７、６４、７１を、何ら外力が加えられない状態でも錠傾斜方向に回転させるように重心位置を調整するようにしても良い。
【０２９４】
本発明は、係る構成によれば、紙幣入出金ユニット１１、６０のユニット個別収納部２２Ａから紙幣収納ユニット１２を引き出すだけで、錠取付板４７、６４、７１を弾性体による付勢、又は重心位置に応じて錠傾斜方向に自動的に回転させて、錠４０を平行姿勢から交差姿勢に切り換えることができる。これにより本発明は、紙幣収納ユニット１２のメンテナンス時の操作を簡略化することができる。
【０２９５】
特に本発明は、係る構成を上述の第２の実施の形態による錠保持部６３の構成と組み合わせた場合、錠４０の姿勢を切り換えるための操作を何ら行わせることなく、当該錠４０の姿勢を平行姿勢から交差姿勢へ、また交差姿勢から平行姿勢へと容易に切り換えることができ、紙幣収納ユニット１２のメンテナンス時の操作をさらに簡略化することができる。
【０２９６】
（３−２）他の実施の形態２
また上述した第１の実施の形態においては、例えば、錠取付板４７の右側面４７ＡＸを収納ユニット左側面２７Ａに突き当てて錠４０を平行姿勢にするようにした場合について述べた。
【０２９７】
しかしながら本発明は、これに限らず、例えば、収納ユニット左側面２７Ａに錠取付板４７に対応する開口、又は凹部を形成し、当該錠取付板４７の少なくとも右側の部分を、開口を介して収納ユニット筐体２７内に入り込ませ、又は凹部内に入り込ませるようにして錠４０を平行姿勢にするようにしても良い。
【０２９８】
本発明は、係る構成によれば、錠４０を交差姿勢にした場合に、収納ユニット左側面２７Ａからの当該錠４０の突出量を、上述した第１の実施の形態よりもさらに小さくすることができる。
【０２９９】
よって本発明は、錠４０が交差姿勢にされたまま、ユニット個別収納部２２Ａへの収納のために紙幣収納ユニット１２が後方向に押された場合、当該錠４０がユニット下側左板２２ＤＸに突き当てられることを回避することができる。
【０３００】
また本発明は、係る構成によれば、錠４０が交差姿勢にされた場合、アーム５１のアーム先端部を、上述した第１の実施の形態の場合よりも収納ユニット左側面２７Ａに近づけることができる。
【０３０１】
よって本発明は、ロックレバー５４を、上述した第１の実施の形態よりも収納ユニット左側面２７Ａに近づけて配置することができ、当該収納ユニット左側面２７Ａからのロック部２９自体の突出量も小さくすることができる。
【０３０２】
ところで、本発明は、係る構成を、他の実施の形態１で上述した錠取付板４７、６４、７１に指掛部７１ＡＸを設ける構成や、錠取付板４７、６４、７１を自動的に錠傾斜方向に回転させる構成と組み合わせることもできる。
【０３０３】
そして本発明は、これら構成を組み合わせた場合、錠取付板４７、６４、７１の少なくとも右側の部分を収納ユニット筐体２７内に入り込ませ、又は凹部内に入り込ませて錠４０を平行姿勢にしても、当該錠４０を平行姿勢から交差姿勢へ容易に切り換えることができる。
【０３０４】
（３−３）他の実施の形態３
さらに上述した第２の実施の形態においては、錠取付板６４にローラ６６を回動可能に支持するようにした場合について述べた。
【０３０５】
しかしながら本発明は、これに限らず、錠取付板６４に、ローラ６６に変えて、ユニット下側左板６１Ａの姿勢切換ガイド６１ＡＸに突き当てるための例えば、テフロン（登録商標）のような摩擦係数の比較的小さい部材で形成された円板や突起部を固設するようにしても良い。
【０３０６】
そして本発明は、係る構成によっても上述した第２の実施の形態によって得られる効果と同様の効果を得ることができる。
【０３０７】
ところで、本発明は、係る構成を、他の実施の形態１で上述した錠取付板６４、７１を自動的に錠傾斜方向に回転させる構成と組み合わせることもできる。
【０３０８】
そして本発明は、これら構成を組み合わせた場合も、錠４０の姿勢を切り換えるための操作を何ら行わせることなく、当該錠４０の姿勢を平行姿勢から交差姿勢へ、また交差姿勢から平行姿勢へと容易に切り換えることができ、紙幣収納ユニット１２のメンテナンス時の操作を簡略化することができる。
【０３０９】
（３−４）他の実施の形態４
さらに上述した第１及び第２の実施の形態においては、錠４０の交差姿勢を、鍵差込方向を収納ユニット左側面２７Ａに４５度の角度で交差させる姿勢とするようにした場合について述べた。
【０３１０】
しかしながら本発明は、これに限らず、例えば、錠４０の交差姿勢を、鍵差込方向を収納ユニット左側面２７Ａに９０度の角度で交差（すなわち、直交）させる姿勢のように、当該鍵差込方向を収納ユニット左側面２７Ａに０度よりも大きく１８０度よりも小さい、この他種々の角度で交差させる姿勢とするようにしても良い。
【０３１１】
また本発明は、錠４０の姿勢を、平行姿勢と交差姿勢とに切換可能にするのではなく、収納ユニット左側面２７Ａのような錠配置面に錠４０を、鍵差込方向を０度よりも大きく９０度よりも小さい任意の角度や、９０度よりも大きく１８０度よりも小さい任意の角度で交差させる交差姿勢で固定するようにしても良い。
【０３１２】
本発明は、係る構成によれば、錠配置面に錠４０を、鍵差込方向を９０度の角度で交差させる交差姿勢で固定して配置するための配置スペースを確保し難いような場合でも、当該錠４０を９０度以外の交差姿勢とすることで、錠配置面に錠４０を、配置スペースを小さくして（すなわち、錠配置面からの突出量を小さくして）配置することができる。
【０３１３】
また本発明は、係る構成によれば、錠配置面に錠４０を、鍵差込方向を９０度の角度で交差させる交差姿勢で配置し得るとしても、このような配置では鍵穴４０Ａに鍵を差し込み難い、また鍵穴４０Ａに差し込んだ鍵を回転操作し難いような場合に、当該錠４０を９０度以外の交差姿勢とすることで、鍵穴４０Ａに鍵を差し込み易くし、また鍵穴４０Ａに差し込んだ鍵を回転操作させ易くして操作性を向上させることができる。
【０３１４】
（３−５）他の実施の形態５
さらに上述した第１及び第２の実施の形態においては、錠４０を有するロック部２９、６２を収納ユニット筐体２７の収納ユニット左側面２７Ａに設けるようにした場合について述べた。
【０３１５】
しかしながら本発明は、これに限らず、錠４０を有するロック部２９、６２を保護カバー２８のようなロック対象の配置位置に応じて、収納ユニット筐体２７の収納ユニット右側面２７Ｂや上面、前面、また入出金ユニット筐体２２、６１の入出金ユニット左側面２２Ｄや入出金ユニット右側面２２Ｅ，上面、前面、さらに預払機筐体２の預払機前面２Ａや預払機後面２Ｂ、預払機左側面２Ｄ、預払機右側面２Ｅ、フロントパネル３に設けるようにしても良い。
【０３１６】
また本発明は、預払機筐体２に、紙幣入出金ユニット１１、６０及び紙幣収納ユニット１２を後側に引出可能なように、筐体後板２ＢＸの少なくとも一部を後扉として開閉可能に取り付け、錠４０を有するロック部２９、６２をロック対象の配置位置に応じて収納ユニット筐体２７の後面、また入出金ユニット筐体２２、６１の後面に設けるようにしても良い。
【０３１７】
因みに、本発明は、ロック対象としては、上述の保護カバー２８以外にも、他の種々のものを覆うカバーや、紙幣収納カセット１６乃至１８、前扉２ＢＸ、後扉、紙幣入出金ユニット１１、６０、紙幣収納ユニット１２、アセンブリ交換可能な機械部品や電子部品等を適用することができる。
【０３１８】
ところで、本発明は、係る構成のうち、錠４０を有するロック部２９、６２を収納ユニット筐体２７の前面や後面、また入出金ユニット筐体２２、６１の前面や後面に設けるように構成する場合、係る構成を、上述した第２の実施の形態のように錠取付板６４にローラ６６を回動可能に支持する構成や、他の実施の形態３について上述した錠取付板６４に円板や突起部を設ける構成と組み合わせることもできる。
【０３１９】
そして本発明は、このように構成を組み合わせる場合、前扉２ＡＸの内面や、後扉の内面を姿勢切換ガイドとして利用して、預払機筐体２に対し前扉２ＡＸや後扉を閉じたときに、これらの内面をローラ６６や円板、突起部に押し付けるようにして、これに応じて錠４０の姿勢を交差姿勢から平行姿勢に自動的に切り換えるようにしても良い。
【０３２０】
（３−６）他の実施の形態６
さらに上述した第１及び第２の実施の形態においては、本発明の施錠装置を、図１乃至図１６について上述した現金自動預払機１に設けられたロック部２９、６２に適用するようにした場合について述べた。
【０３２１】
しかしながら本発明は、これに限らず、現金自動支払機（CD：Cash  Dispenser）や両替機、飲料やタバコ等の自動販売機、電車の切符や観劇のチケット等を販売する券売機、精算機、パチンコ台やスロット台のような遊戯機等のような、この他種々の装置に設けられるロック部に広く適用することができる。
【０３２２】
また本発明は、施錠装置を、錠を有し、鍵穴に差し込まれた鍵の回転操作により通電をオンオフするためのキースイッチ、金庫やロッカーの扉に設けられる施錠装置等のように、錠を有するこの他種々の施錠装置にも広く適用することができる。
【０３２３】
（３−７）他の実施の形態７
さらに上述した第１及び第２の実施の形態においては、本発明の現金自動取引装置を、図１乃至図１６について上述した現金自動預払機１に適用するようにした場合について述べた。
【０３２４】
しかしながら本発明は、これに限らず、現金自動支払機や両替機、飲料やタバコ等の自動販売機、電車の切符や観劇のチケット等を販売する券売機、精算機、パチンコ台やスロット台のような遊戯機等のように、この他種々の現金自動取引装置に広く適用することができる。
【０３２５】
（３−８）他の実施の形態８
さらに上述した第１及び第２の実施の形態においては、鍵が差し込まれる鍵穴を有する錠として、図１乃至図１６について上述した錠４０を適用するようにした場合について述べた。
【０３２６】
しかしながら本発明は、これに限らず、他の実施の形態６で上述したキースイッチのように、この他種々の構成の錠を広く適用することができる。
【０３２７】
（３−９）他の実施の形態９
さらに上述した第１及び第２の実施の形態においては、所定の錠配置面に取り付けられ、錠を、鍵穴に対する鍵の鍵差込方向を錠配置面と平行にする平行姿勢と、鍵差込方向を錠配置面と交差させる交差姿勢とに切換可能に保持する錠保持部として、図１乃至図１６について上述した錠保持部４１、６３、７０を適用するようにした場合について述べた。
【０３２８】
しかしながら本発明は、これに限らず、錠をスライド可能に保持し、当該錠をスライドさせながら平行姿勢と交差姿勢とに切り換える錠保持部のように、この他種々の構成の錠保持部を広く適用することができる。
【０３２９】
（３−１０）他の実施の形態１０
さらに上述した第１及び第２の実施の形態においては、錠保持部が取り付けられる所定の錠配置面として、図１乃至図１６について上述した収納ユニット左側面２７Ａを適用するようにした場合について述べた。
【０３３０】
しかしながら本発明は、これに限らず、他の実施の形態で上述した凹部の底面、他の実施の形態５で上述した収納ユニット筐体２７の収納ユニット右側面２７Ｂや上面、前面、後面、また入出金ユニット筐体２２、６１の入出金ユニット左側面２２Ｄや入出金ユニット右側面２２Ｅ，上面、前面、後面、さらに預払機筐体２の預払機前面２Ａや預払機後面２Ｂ、預払機左側面２Ｄ、預払機右側面２Ｅ、フロントパネル３等のように、この他、錠が配置される種々の装置の種々の面を錠配置面として広く適用することができる。
【０３３１】
（３−１１）他の実施の形態１１
さらに上述した第１及び第２の実施の形態においては、錠保持部に保持された錠を隠蔽し、また露出させる隠蔽露出部として、図１乃至図１６について上述した、入出金ユニット筐体２２、６１のユニット下側左板２２ＤＸ、６１Ａを適用するようにした場合について述べた。
【０３３２】
しかしながら本発明は、これに限らず、他の実施の形態５で上述した預払機筐体２の前扉２ＡＸや後扉等のように、この他種々の隠蔽露出部を広く適用することができる。
【０３３３】
ところで、本発明は、例えば、錠を錠保持部と共に、錠配置面に設けられた凹部内に収納して、当該凹部内で錠を平行姿勢と交差姿勢とに切り換えるようにする。
【０３３４】
そして本発明は、凹部の開口に、板状の保護板を例えば、平行姿勢の錠の鍵差込方向及びこれとは逆の方向にスライド可能に設け、又はシャッタを例えば、平行姿勢の錠の鍵差込方向及びこれとは逆の方向に可動するように設けるようにして、これら保護板又はシャッタを隠蔽露出部として適用するようにしても良い。
【０３３５】
すなわち、本発明は、例えば、錠保持部に錠の交差姿勢において凹部の開口から外部に突出するローラや円板、突起部等を設け、当該凹部の開口に対して保護板やシャッタで閉じて錠を隠蔽する際、その保護板やシャッタの内面をローラや円板、突起部等に押し付けるようにして、これに応じて錠を交差姿勢から平行姿勢に切り換えるようにしても良い。
【０３３６】
（３−１２）他の実施の形態１２
さらに上述した第１及び第２の実施の形態においては、錠保持部に保持された錠を隠蔽し、また露出させる隠蔽露出部による交差姿勢の錠の隠蔽に応じて、当該錠を交差姿勢から平行姿勢に切り換える姿勢交差平行切換部として、図１乃至図１６について上述したローラ６６を適用するようにした場合について述べた。
【０３３７】
しかしながら本発明は、これに限らず、ばねのような弾性体や重心位置を調整した錠取付板、他の実施の形態３で上述した円板や突起部等のように、この他種々の姿勢交差平行切換部を広く適用することができる。
【０３３８】
ところで、本発明は、他の実施の形態１１で上述したように、錠を錠保持部と共に、錠配置面に設けられた凹部内に収納して、当該凹部内で錠を平行姿勢と交差姿勢とに切り換えるようにする。
【０３３９】
また本発明は、凹部の開口に、板状の保護板を例えば、平行姿勢の錠の鍵差込方向及びこれとは逆の方向にスライド可能に設け、又はシャッタを例えば、平行姿勢の錠の鍵差込方向及びこれとは逆の方向に可動するように設けると共に、その保護板又はシャッタに一端部を接続したワイヤの他端を例えば、錠に接続する。
【０３４０】
これにより本発明は、保護板を移動させ又はシャッタを可動して凹部の開口を開いたときには、当該保護板又はシャッタによりワイヤを引いて錠を平行姿勢から交差姿勢に自動的に切り換える。
【０３４１】
そして本発明は、保護板を移動させ又はシャッタを可動して凹部の開口を閉じたときには、それまで引いていたワイヤを撓ませることで、これに応じて弾性体や重心位置を調整した錠取付板により錠を交差姿勢から平行姿勢に自動的に切り換える。
【０３４２】
本発明は、例えば、このように係る構成によって、弾性体や重心位置を調整した錠取付板を、姿勢交差平行切換部として適用することができる。
【０３４３】
（３−１３）他の実施の形態１３
さらに上述した第１及び第２の実施の形態においては、隠蔽露出部による平行姿勢の錠の露出に応じて、当該錠を平行姿勢から交差姿勢に切り換える姿勢平行交差切換部として、他の実施の形態１で上述した弾性体や、重心位置を調整した錠取付板４７、６４、７１を適用するようにした場合について述べた。
【０３４４】
しかしながら本発明は、これに限らず、他の実施の形態１２で上述した保護板やシャッタと、当該保護板やシャッタに接続されたワイヤ等とのように、この他種々の姿勢平行交差切換部を広く適用することができる。
【０３４５】
（３−１４）他の実施の形態１４
さらに上述した第１及び第２の実施の形態においては、錠が、鍵穴の穿設された一端部を一面から突出させて取り付けられる錠取付部として、図１乃至図１６について上述したコ字状の錠取付板４７、６４、７１を適用するようにした場合について述べた。
【０３４６】
しかしながら本発明は、これに限らず、錠を、鍵穴の穿設された一端部を一面から突出させて取り付けることができれば、この他種々の形状の錠取付部を広く適用することができる。
【０３４７】
（３−１５）他の実施の形態１５
さらに上述した第１及び第２の実施の形態においては、錠取付部を一方向及び他方向に回転可能に支持する支持部として、図１乃至図１６について上述した後側ブラケット４５、前側ブラケット４６及び錠回動軸４９を適用するようにした場合について述べた。
【０３４８】
しかしながら本発明は、これに限らず、錠取付部を一方向及び他方向に回転可能に支持することができれば、この他種々の構成の支持部を広く適用することができる。
【０３４９】
（３−１６）他の実施の形態１６
さらに上述した第１及び第２の実施の形態においては、引出可能な紙幣収納ユニットとして、図１乃至図１６について上述した紙幣収納ユニット１２を適用するようにした場合について述べた。
【０３５０】
しかしながら本発明は、これに限らず、預払機筐体２のユニット一括収納部２Ｆから当該預払機筐体２の後側に引出可能な紙幣入出金ユニット１１のユニット個別収納部２２Ａから預払機筐体２の後側に引出可能な紙幣収納ユニット１２や、預払機筐体２に単独で当該預払機筐体２の前側又は後側に引出可能に設けられた紙幣収納ユニット１２に適用することができる。
【０３５１】
また本発明は、係る紙幣収納ユニットを、金種別の複数の紙幣収納カセットのみが着脱可能に装着される紙幣収納ユニット１２や、当該金種別の複数の紙幣収納カセットと共にリジェクト紙幣用の紙幣収納カセットが着脱可能に装着される紙幣収納ユニット等のように、この他種々の構成の紙幣収納ユニットにも広く適用することができる。
【０３５２】
（３−１７）他の実施の形態１７
さらに上述した第１及び第２の実施の形態においては、紙幣収納ユニットの側面に配置される所定の保護対象として、図１乃至図１６について上述したコネクタ及び操作部を適用するようにした場合について述べた。
【０３５３】
しかしながら本発明は、これに限らず、コネクタのみや操作部のみ等のように、この他種々の保護対象を広く適用することができる。
【０３５４】
（３−１８）他の実施の形態１８
さらに上述した第１及び第２の実施の形態においては、紙幣収納ユニットの側面に保護対象を隠蔽及び露出可能に設けられ、保護対象を保護するための保護カバーとして、図１乃至図１６について上述した収納ユニット左側面２７Ａに開閉可能に取り付けられた箱型の保護カバー２８を適用するようにした場合について述べた。
【０３５５】
しかしながら本発明は、これに限らず、一端部に所定形状のロックレバーと係合可能な所定形状のロックプレート又はロックピンが取り付けられ、紙幣収納ユニットの側面にスライド可能に設けられたコ字状の保護カバーのように、この他種々の構成の保護カバーを広く適用することができる。
【産業上の利用可能性】
【０３５６】
本発明は、現金自動預払機や現金自動支払機に設けられたロック部等の施錠装置と、現金自動預払機や現金自動支払機等の現金自動取引装置とに利用することができる。
【符号の説明】
【０３５７】
１……現金自動預払機、１１、６０……紙幣入出金ユニット、１２……紙幣収納ユニット、２２、６１……入出金ユニット筐体、２２ＤＸ、６１Ａ……ユニット下側左板、２７……収納ユニット筐体、２７Ａ……収納ユニット左側面、２８……保護カバー、２９、６２……ロック部、４０……錠、４０Ａ……鍵穴、４１、６３、７０……錠保持部、４５……後側ブラケット、４６……前側ブラケット、４７、６４、７１……錠取付板、４９……錠回動軸、６１ＡＸ……姿勢切換ガイド、６６……ローラ。
【図１】
0005375909.tif 000002
【図２】
0005375909.tif 000003
【図３】
0005375909.tif 000004
【図４】
0005375909.tif 000005
【図５】
0005375909.tif 000006
【図６】
0005375909.tif 000007
【図７】
0005375909.tif 000008
【図８】
0005375909.tif 000009
【図９】
0005375909.tif 000010
【図１０】
0005375909.tif 000011
【図１１】
0005375909.tif 000012
【図１２】
0005375909.tif 000013
【図１３】
0005375909.tif 000014
【図１４】
0005375909.tif 000015
【図１５】
0005375909.tif 000016
【図１６】
0005375909.tif 000017
【図１７】
0005375909.tif 000018